(57)【要約】【課題】  本発明は製紙機の成型ネット洗浄用の旋転噴射節水機構を開示した。  【解決手段】主に底板及び二つの支持板を含み、前記支持板の間には製紙機構が設置され、前記製紙機構は成型ネットを含み、前記製紙機構の後側には前記製紙機構に動力を伝達する伝動機構が設置され、前記底板の上端面には前記成型ネットから濾過して洗浄された水を収集できる濾過機構が固定され、該装置製紙成型ネットを洗浄する時、元来の動力を利用して成型ネットについている乾燥した頑固繊維を効率的に取り除くことができ、しかも装置が製紙する時に生じた水と洗浄用の水とを循環に利用することによって、成型ネットを洗い流し、用水を節約すると同時に、効率的に有効的に洗浄を完成し、作業の効率と質を向上させる。【選択図】図１
2020200567.tif 000002
【特許請求の範囲】
【請求項１】
正面視で、主に底板及び二つの支持板を含み、前記支持板の間には製紙機構が設置され、前記製紙機構は成型ネットを含み、前記製紙機構の後側には前記製紙機構に動力を伝達する伝動機構が設置され、
前記底板の上端面には前記成型ネットから濾過して洗浄された水を収集できる濾過機構が固定され、前記濾過機構は固定ブロックを含み、前記固定ブロックの中には上方へ開口した収集チャンバが設置され、前記収集チャンバの下端壁の中には回転チャンバが設置され、前記回転チャンバの下端壁には回転軸が回転できるように連結され、前記回転軸には回転輪と第一ベルトプーリとが固定され、前記回転輪の中には前記回転輪を貫通している貫通孔が設置され、前記回転輪の中にはまた前記貫通孔に貫通されたリミットチャンバが設置され、前記貫通孔の中には前記貫通孔を貫通している台形ロッドが設置され、前記リミットチャンバの中には前記台形ロッドに貫通されたリミットブロックが設置され、前記回転輪の上側には前記台形ロッドの上端に貫通された回字型ブロックが設置され、前記回字型ブロックの左右両端にはいずれも推し動かしロッドが固定され、前記回転チャンバの中にはまた二つの弧状ブロックが設置され、前記弧状ブロックの下端には前記弧状ブロックを支持する三つの支持ばねが固定され、前記弧状ブロックの下端にはまたロープが固定され、前記回転チャンバの左右端壁の中にはいずれも濾過チャンバが設置され、前記推し動かしロッドの一端が前記濾過チャンバの中に位置しており、且つ前記推し動かしロッドの一端には前記濾過チャンバの中の液体を推し動かして濾過を補助するピストンが固定され、前記濾過チャンバの上端壁には外部空間に連通した排水パイプと前記収集チャンバに連通した連通パイプとが設置され、前記ロープが前記連通パイプの開閉を制御でき、
前記固定ブロックの上側にはまた絞り出された水と外来水とを収集できる洗浄機構が設置され、前記洗浄機構によって紙が成型する時に絞り出された水と外来水とを収集し、また前記成型ネットを洗浄し、更に前記濾過機構の濾過によって、洗浄用の水を濾過してから再利用し、節水を実現することを特徴とする製紙機の成型ネット洗浄用の旋転噴射節水機構。
【請求項２】
前記製紙機構は前側の前記支持板に回転できるように連結された二つの転び軸を含み、右側の前記転び軸の後側には前記固定軸と動力が伝達できるように連結されたモータが設置され、前記固定軸にはローラが固定され、二つの前記ローラが前記成型ネットにより連結され、右側の前記転び軸の前端には第二ベルトプーリが固定され、後側の前記支持板の前端面には四つの押し軸が回転できるように連結され、前記押し軸には押し円筒が固定され、四つの前記押し円筒が押しキャタピラにより連結され、且つ前記押しキャタピラの下端面が前記成型ネットの上端面と接触し、一つの前記押し軸には第三ベルトプーリが固定され、前記支持板の前端面にはまた洗浄軸が回転できるように連結され、前記洗浄軸の前端には前記成型ネットを洗うことができる洗浄輪が固定されたことを特徴とする請求項１に記載の製紙機の成型ネット洗浄用の旋転噴射節水機構。
【請求項３】
前記伝動機構は前後両端がそれぞれ前後の前記支持板と回転できるように連結された伝動軸を含み、前記伝動軸の前後両端にはいずれも第四ベルトプーリが固定され、前側の前記第四ベルトプーリと前記第二ベルトプーリとが第一ベルトにより連結され、後側の前記第四ベルトプーリと前記第三ベルトプーリとが第二ベルトにより連結され、後側の前記支持板の前端面にはまた二つの従動軸が回転できるように連結され、二つの前記従動軸の後端と前記第三ベルトプーリが固定された前記押し軸の後端と、前記洗浄軸の後端とにはいずれもスプロケットが固定され、四つの前記スプロケットがチェーンにより連結され、上側の前記従動軸の前端にはひも巻き輪がスライドできるように連結され、前記ひも巻き輪の中には前記従動軸と吸引し合うことができる電磁石が設置され、前記ひも巻き輪にはまた鎖が巻きついており、下側の前記従動軸の前端には第一ベベルギヤが固定され、前記底板の上端面にはまた旋転軸が回転できるように連結され、前記旋転軸の上端には前記第一ベベルギヤと噛み合っている第二ベベルギヤが固定され、前記旋転軸にはまた前記第一ベルトプーリと第三ベルトにより連結された第五ベルトプーリが固定されたことを特徴とする請求項１に記載の製紙機の成型ネット洗浄用の旋転噴射節水機構。
【請求項４】
前記濾過機構はまた前記連通パイプに貫通された切断チャンバを含み、前記切断チャンバの中には前記連通パイプを切断することができる切断板と前記切断板を復帰させることができる伸縮ばねとが設置され、前記ロープの下端が前記切断チャンバの片側端壁を貫通しており、且つ前記切断板と連結され、前記濾過チャンバの中にはスクリーンクロスが固定され、前記濾過チャンバの下端壁の中には外部空間に連通した排出パイプが設置され、前記濾過チャンバの下端壁には前記排出パイプを貫通しており、且つ上方へ開口した摩擦チャンバが設置され、前記摩擦チャンバの中には前記排出パイプを密封できる摩擦ブロックと前記摩擦ブロックを復帰させることができる圧縮ばねとが設置されたことを特徴とする請求項１又は請求項３に記載の製紙機の成型ネット洗浄用の旋転噴射節水機構。
【請求項５】
前記洗浄機構は支持ブロックを含み、前記支持ブロックの中には上方へ開口した収納チャンバが設置され、前記収納チャンバの下端壁の中には前記収納チャンバに連通した貯水チャンバが設置され、前記貯水チャンバの下端壁の中には外部空間に連通した六つの排水口が設置され、前記排水パイプの上端が前記支持ブロックを貫通しており、且つ前記収納チャンバに連通しており、前記貯水チャンバの中には二つの切断ブロックが設置され、前記切断ブロックの中には前後端壁と片側端壁とが前記貯水チャンバに連通した二つのばねチャンバが設置され、前記ばねチャンバの下端壁には連結ばねが固定され、前記貯水チャンバの中には前後両端がそれぞれ前記貯水チャンバの前後端壁と当接している下圧し板が設置され、前記下圧し板の左右両端がそれぞれ前記ばねチャンバの中に位置しており、且つ前記連結ばねと連結され、前記鎖の一端が前記貯水チャンバの上端壁を貫通しており、且つ前記下圧し板と連結され、前記下圧し板の上端面の中心には上端が前記貯水チャンバの上端壁と連結された復帰ばねが固定的に連結されたことを特徴とする請求項１又は請求項２に記載の製紙機の成型ネット洗浄用の旋転噴射節水機構。
【請求項６】
前記復帰ばねと二つの前記連結ばねの弾力との和が前記ひも巻き輪と前記従動軸との摩擦力よりはるかに大きいことを特徴とする請求項３又は請求項５に記載の製紙機の成型ネット洗浄用の旋転噴射節水機構。
【請求項７】
前記鎖が緩む時、二つの前記切断ブロックが前記貯水チャンバの下端壁と接触し、前記復帰ばねと前記連結ばねとがまだ復帰していないことを特徴とする請求項５に記載の製紙機の成型ネット洗浄用の旋転噴射節水機構。
【請求項８】
前記ピストンと前記摩擦ブロックとの間の摩擦力が前記圧縮ばねの弾力及び前記摩擦チャンバと前記摩擦ブロックとの間の摩擦力の和よりはるかに大きく、前記圧縮ばねの弾力が前記摩擦チャンバと前記摩擦ブロックとの間の摩擦力の和よりはるかに大きいことを特徴とする請求項１又は請求項４に記載の製紙機の成型ネット洗浄用の旋転噴射節水機構。
【発明の詳細な説明】
【技術分野】
【０００１】
本発明は洗浄分野を取り上げて、具体的には製紙機の成型ネット洗浄用の旋転噴射節水機構である。
【背景技術】
【０００２】
パルプが乾燥して紙を取った後、繊維がよく成型ネットにつき、成型ネットを洗浄しないと、後続の紙の生成に不利であり、紙の平らさに影響を与え、
現段階、成型ネットの洗浄は主に成型ネットを直接洗い流す方式を採用し、水を浪費すると同時に繊維が成型ネットにつき、洗浄の質に影響し、一部の成型ネット洗浄用の設備が回転により成型ネットを洗浄し、しかし、主に回転するところで水を噴き、乾燥の繊維を有効的にふやかして落とすことができなく、回転して洗浄した後に繊維がまだ残っている。
【先行技術文献】
【特許文献】
【０００３】
【特許文献１】中国特許出願公開第１０３６１１６９９号明細書
【発明の概要】
【発明が解決しようとする課題】
【０００４】
本発明は解決しようとする問題は製紙機の成型ネット洗浄用の旋転噴射節水機構を提供するのであり、それは水を浪費することと洗浄の質が低いことという問題を克服し、洗浄の質を上げて用水を節約できる。
【課題を解決するための手段】
【０００５】
本発明は以下の技術プランによって実現される：
【０００６】
製紙機の成型ネット洗浄用の旋転噴射節水機構の構成図を交え、製紙機の成型ネット洗浄用の旋転噴射節水機構は主に底板及び二つの支持板を含み、前記支持板の間には製紙機構が設置され、前記製紙機構は成型ネットを含み、前記製紙機構の後側には前記製紙機構に動力を伝達する伝動機構が設置されている。
【０００７】
前記底板の上端面には前記成型ネットから濾過して洗浄された水を収集できる濾過機構が固定され、前記濾過機構は固定ブロックを含み、前記固定ブロックの中には上方へ開口した収集チャンバが設置され、前記収集チャンバの下端壁の中には回転チャンバが設置され、前記回転チャンバの下端壁には回転軸が回転できるように連結され、前記回転軸には回転輪と第一ベルトプーリとが固定され、前記回転輪の中には前記回転輪を貫通している貫通孔が設置され、前記回転輪の中にはまた前記貫通孔に貫通されたリミットチャンバが設置され、前記貫通孔の中には前記貫通孔を貫通している台形ロッドが設置され、前記リミットチャンバの中には前記台形ロッドに貫通されたリミットブロックが設置され、前記回転輪の上側には前記台形ロッドの上端に貫通された回字型ブロックが設置され、前記回字型ブロックの左右両端にはいずれも推し動かしロッドが固定され、前記回転チャンバの中にはまた二つの弧状ブロックが設置され、前記弧状ブロックの下端には前記弧状ブロックを支持する三つの支持ばねが固定され、前記弧状ブロックの下端にはまたロープが固定され、前記回転チャンバの左右端壁の中にはいずれも濾過チャンバが設置され、前記推し動かしロッドの一端が前記濾過チャンバの中に位置しており、且つ前記推し動かしロッドの一端には前記濾過チャンバの中の液体を推し動かして濾過を補助するピストンが固定され、前記濾過チャンバの上端壁には外部空間に連通した排水パイプと前記収集チャンバに連通した連通パイプとが設置され、前記ロープが前記連通パイプの開閉を制御できる。
【０００８】
前記固定ブロックの上側にはまた絞り出された水と外来水とを収集できる洗浄機構が設置され、前記洗浄機構によって紙が成型する時に絞り出された水と外来水とを収集し、また前記成型ネットを洗浄し、更に前記濾過機構の濾過によって、洗浄用の水を濾過してから再利用し、節水を実現する。
【０００９】
好ましくは、前記製紙機構は前側の前記支持板に回転できるように連結された二つの転び軸を含み、右側の前記転び軸の後側には前記固定軸と動力が伝達できるように連結されたモータが設置され、前記固定軸にはローラが固定され、二つの前記ローラが前記成型ネットにより連結され、右側の前記転び軸の前端には第二ベルトプーリが固定され、後側の前記支持板の前端面には四つの押し軸が回転できるように連結され、前記押し軸には押し円筒が固定され、四つの前記押し円筒が押しキャタピラにより連結され、且つ前記押しキャタピラの下端面が前記成型ネットの上端面と接触し、一つの前記押し軸には第三ベルトプーリが固定され、前記支持板の前端面にはまた洗浄軸が回転できるように連結され、前記洗浄軸の前端には前記成型ネットを洗うことができる洗浄輪が固定された。
【００１０】
好ましくは、前記伝動機構は前後両端がそれぞれ前後の前記支持板と回転できるように連結された伝動軸を含み、前記伝動軸の前後両端にはいずれも第四ベルトプーリが固定され、前側の前記第四ベルトプーリと前記第二ベルトプーリとが第一ベルトにより連結され、後側の前記第四ベルトプーリと前記第三ベルトプーリとが第二ベルトにより連結され、後側の前記支持板の前端面にはまた二つの従動軸が回転できるように連結され、二つの前記従動軸の後端と前記第三ベルトプーリが固定された前記押し軸の後端と、前記洗浄軸の後端とにはいずれもスプロケットが固定され、四つの前記スプロケットがチェーンにより連結され、上側の前記従動軸の前端にはひも巻き輪がスライドできるように連結され、前記ひも巻き輪の中には前記従動軸と吸引し合うことができる電磁石が設置され、前記ひも巻き輪にはまた鎖が巻きついており、下側の前記従動軸の前端には第一ベベルギヤが固定され、前記底板の上端面にはまた旋転軸が回転できるように連結され、前記旋転軸の上端には前記第一ベベルギヤと噛み合っている第二ベベルギヤが固定され、前記旋転軸にはまた前記第一ベルトプーリと第三ベルトにより連結された第五ベルトプーリが固定された。
【００１１】
好ましくは、前記濾過機構はまた前記連通パイプに貫通された切断チャンバを含み、前記切断チャンバの中には前記連通パイプを切断することができる切断板と前記切断板を復帰させることができる伸縮ばねとが設置され、前記ロープの下端が前記切断チャンバの片側端壁を貫通しており、且つ前記切断板と連結され、前記濾過チャンバの中にはスクリーンクロスが固定され、前記濾過チャンバの下端壁の中には外部空間に連通した排出パイプが設置され、前記濾過チャンバの下端壁には前記排出パイプを貫通しており、且つ上方へ開口した摩擦チャンバが設置され、前記摩擦チャンバの中には前記排出パイプを密封できる摩擦ブロックと前記摩擦ブロックを復帰させることができる圧縮ばねとが設置された。
【００１２】
好ましくは、前記洗浄機構は支持ブロックを含み、前記支持ブロックの中には上方へ開口した収納チャンバが設置され、前記収納チャンバの下端壁の中には前記収納チャンバに連通した貯水チャンバが設置され、前記貯水チャンバの下端壁の中には外部空間に連通した六つの排水口が設置され、前記排水パイプの上端が前記支持ブロックを貫通しており、且つ前記収納チャンバに連通しており、前記貯水チャンバの中には二つの切断ブロックが設置され、前記切断ブロックの中には前後端壁と片側端壁とが前記貯水チャンバに連通した二つのばねチャンバが設置され、前記ばねチャンバの下端壁には連結ばねが固定され、前記貯水チャンバの中には前後両端がそれぞれ前記貯水チャンバの前後端壁と当接している下圧し板が設置され、前記下圧し板の左右両端がそれぞれ前記ばねチャンバの中に位置しており、且つ前記連結ばねと連結され、前記鎖の一端が前記貯水チャンバの上端壁を貫通しており、且つ前記下圧し板と連結され、前記下圧し板の上端面の中心には上端が前記貯水チャンバの上端壁と連結された復帰ばねが固定的に連結された。
【００１３】
好ましくは、前記復帰ばねと二つの前記連結ばねの弾力との和が前記ひも巻き輪と前記従動軸との摩擦力よりはるかに大きい。
【００１４】
好ましくは、前記鎖が緩む時、二つの前記切断ブロックが前記貯水チャンバの下端壁と接触し、前記復帰ばねと前記連結ばねとがまだ復帰していない。
【００１５】
好ましくは、前記ピストンと前記摩擦ブロックとの間の摩擦力が前記圧縮ばねの弾力及び前記摩擦チャンバと前記摩擦ブロックとの間の摩擦力の和よりはるかに大きく、前記圧縮ばねの弾力が前記摩擦チャンバと前記摩擦ブロックとの間の摩擦力の和よりはるかに大きい。
【発明の効果】
【００１６】
本発明の有益効果は：該装置が構成が簡単で、操作が便利で、該装置製紙成型ネットを洗浄する時、元来の動力を利用して成型ネットについている乾燥した頑固繊維を効率的に取り除くことができ、しかも装置が製紙する時に生じた水と洗浄用の水とを循環に利用することによって、成型ネットを洗い流し、用水を節約すると同時に、効率的に有効的に洗浄を完成し、作業の効率と質を向上させる。
【図面の簡単な説明】
【００１７】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の実施例の構成模式図
【図２】図２は本発明の実施例の全体全断面の左側面拡大構成模式図
【図３】図３は本発明の実施例のＡ―Ａの構成模式図
【図４】図４は本発明の実施例の濾過機構の部分断面の正面拡大構成模式図
【図５】図５は本発明の実施例の回字型ブロックの上面拡大模式図
【発明を実施するための形態】
【００１９】
図１〜５に示している製紙機の成型ネット洗浄用の旋転噴射節水機構の構成図を交え、主に底板１及び二つの支持板１３を含み、前記支持板１３の間には製紙機構６８が設置され、前記製紙機構６８は成型ネット９を含み、前記製紙機構６８の後側には前記製紙機構６８に動力を伝達する伝動機構６６が設置され、前記底板１の上端面には前記成型ネット９から濾過して洗浄された水を収集できる濾過機構６７が固定され、前記濾過機構６７は固定ブロック５を含み、前記固定ブロック５の中には上方へ開口した収集チャンバ６が設置され、前記収集チャンバ６の下端壁の中には回転チャンバ４６が設置され、前記回転チャンバ４６の下端壁には回転軸３９が回転できるように連結され、前記回転軸３９には回転輪４５と第一ベルトプーリ４０とが固定され、前記回転輪４５の中には前記回転輪４５を貫通している貫通孔６３が設置され、前記回転輪４５の中にはまた前記貫通孔６３に貫通されたリミットチャンバ６５が設置され、前記貫通孔６３の中には前記貫通孔６３を貫通している台形ロッド６４が設置され、前記リミットチャンバ６５の中には前記台形ロッド６４に貫通されたリミットブロック６２が設置され、前記回転輪６５の上側には前記台形ロッド６４の上端に貫通された回字型ブロック５７が設置され、前記回字型ブロック５７の左右両端にはいずれも推し動かしロッド３３が固定され、前記回転チャンバ４６の中にはまた二つの弧状ブロック４１が設置され、前記弧状ブロック４１の下端には前記弧状ブロック４１を支持する三つの支持ばね４２が固定され、前記弧状ブロック４１の下端にはまたロープ４３が固定され、前記回転チャンバ４６の左右端壁の中にはいずれも濾過チャンバ３が設置され、前記推し動かしロッド３３の一端が前記濾過チャンバ３の中に位置しており、且つ前記推し動かしロッド３３の一端には前記濾過チャンバ３の中の液体を推し動かして濾過を補助するピストン３４が固定され、前記濾過チャンバ３の上端壁には外部空間に連通した排水パイプ２７と前記収集チャンバ６に連通した連通パイプ３１とが設置され、前記ロープ４３が前記連通パイプ３１の開閉を制御でき、前記固定ブロック５の上側にはまた絞り出された水と外来水とを収集できる洗浄機構６９が設置され、前記洗浄機構６９によって紙が成型する時に絞り出された水と外来水とを収集し、また前記成型ネット９を洗浄し、更に前記濾過機構６７の濾過によって、洗浄用の水を濾過してから再利用し、節水を実現する。    
【００２０】
有益的には、前記製紙機構６８は前側の前記支持板１３に回転できるように連結された二つの転び軸７を含み、右側の前記転び軸７の後側には前記固定軸７と動力が伝達できるように連結されたモータ６０が設置され、前記固定軸７にはローラ８が固定され、二つの前記ローラ８が前記成型ネット９により連結され、右側の前記転び軸７の前端には第二ベルトプーリ６１が固定され、後側の前記支持板１３の前端面には四つの押し軸１１が回転できるように連結され、前記押し軸１１には押し円筒１２が固定され、四つの前記押し円筒１２が押しキャタピラ１０により連結され、且つ前記押しキャタピラ１０の下端面が前記成型ネット９の上端面と接触し、一つの前記押し軸１１には第三ベルトプーリ４７が固定され、前記支持板１３の前端面にはまた洗浄軸２０が回転できるように連結され、前記洗浄軸２０の前端には前記成型ネットを洗うことができる洗浄輪２１が固定された。
【００２１】
有益的には、前記伝動機構６６は前後両端がそれぞれ前後の前記支持板１３と回転できるように連結された伝動軸２２を含み、前記伝動軸２２の前後両端にはいずれも第四ベルトプーリ２３が固定され、前側の前記第四ベルトプーリ２３と前記第二ベルトプーリ６１とが第一ベルト５８により連結され、後側の前記第四ベルトプーリ２３と前記第三ベルトプーリ４７とが第二ベルト５９により連結され、後側の前記支持板１３の前端面にはまた二つの従動軸５２が回転できるように連結され、二つの前記従動軸５２の後端と前記第三ベルトプーリ４７が固定された前記押し軸１１の後端と、前記洗浄軸２０の後端とにはいずれもスプロケット４４が固定され、四つの前記スプロケット４４がチェーン５０により連結され、上側の前記従動軸５２の前端にはひも巻き輪４８がスライドできるように連結され、前記ひも巻き輪４８の中には前記従動軸５２と吸引し合うことができる電磁石４９が設置され、前記ひも巻き輪４８にはまた鎖１７が巻きついており、下側の前記従動軸５２の前端には第一ベベルギヤ５１が固定され、前記底板１の上端面にはまた旋転軸５４が回転できるように連結され、前記旋転軸５４の上端には前記第一ベベルギヤ５１と噛み合っている第二ベベルギヤ５３が固定され、前記旋転軸５４にはまた前記第一ベルトプーリ４０と第三ベルト５６により連結された第五ベルトプーリ５５が固定された。
【００２２】
有益的には、前記濾過機構６７はまた前記連通パイプ３１に貫通された切断チャンバ４を含み、前記切断チャンバ４の中には前記連通パイプ３１を切断することができる切断板３２と前記切断板３２を復帰させることができる伸縮ばね３０とが設置され、前記ロープ５３の下端が前記切断チャンバ４の片側端壁を貫通しており、且つ前記切断板３２と連結され、前記濾過チャンバ３の中にはスクリーンクロス２が固定され、前記濾過チャンバ３の下端壁の中には外部空間に連通した排出パイプ３８が設置され、前記濾過チャンバ３の下端壁には前記排出パイプ３８を貫通しており、且つ上方へ開口した摩擦チャンバ３６が設置され、前記摩擦チャンバ３６の中には前記排出パイプ３８を密封できる摩擦ブロック３７と前記摩擦ブロック３７を復帰させることができる圧縮ばね３５とが設置された。
【００２３】
有益的には、前記洗浄機構６９は支持ブロック２５を含み、前記支持ブロック２５の中には上方へ開口した収納チャンバ２４が設置され、前記収納チャンバ２４の下端壁の中には前記収納チャンバ２４に連通した貯水チャンバ２８が設置され、前記貯水チャンバ２８の下端壁の中には外部空間に連通した六つの排水口２９が設置され、前記排水パイプ２７の上端が前記支持ブロック２５を貫通しており、且つ前記収納チャンバ２４に連通しており、前記貯水チャンバ２８の中には二つの切断ブロック１４が設置され、前記切断ブロック１４の中には前後端壁と片側端壁とが前記貯水チャンバ２８に連通した二つのばねチャンバ１９が設置され、前記ばねチャンバ１９の下端壁には連結ばね１５が固定され、前記貯水チャンバ２８の中には前後両端がそれぞれ前記貯水チャンバ２８の前後端壁と当接している下圧し板１６が設置され、前記下圧し板１６の左右両端がそれぞれ前記ばねチャンバ１９の中に位置しており、且つ前記連結ばね１５と連結され、前記鎖１７の一端が前記貯水チャンバ２８の上端壁を貫通しており、且つ前記下圧し板１６と連結され、前記下圧し板１６の上端面の中心には上端が前記貯水チャンバ２８の上端壁と連結された復帰ばね１８が固定的に連結された。
【００２４】
装置全体の機械作動の順序は：
【００２５】
１：パルプを成型ネット９の上端面に均一的に敷き、モータ６０が作動し、転び軸７を連動させて回転させ、これによりローラ８を連動させて回転させ、これにより成型ネット９が回転し、転び軸７が回転して第二ベルトプーリ６１を連動させて回転させ、これにより前側の第四ベルトプーリ２３を連動させて回転させ、これにより伝動軸２２を連動させて回転させ、これにより後側の第四ベルトプーリ２３を連動させて回転させ、これにより第三ベルトプーリ４７と第三ベルトプーリ４７が固定された押し軸１１とを連動させて回転させ、これにより押し円筒１２を連動させて回転させ、押しキャタピラ１０の伝動によって、ほかの押し円筒１２と押し軸１１とを連動させて回転させ、これにより成型ネット９にあるパルプを絞り、これによりパルプの中の大部分の水が絞り出され、絞り出された水が収納チャンバ２４の中に落ち、そして収納チャンバ２４の中に洗浄用の水を入れ、貯水チャンバ２８の中に溜まる。
【００２６】
２：ローラ８が回転する時に成型ネット９がローラ８の下側に位置した時、成型ネット９にあるパルプが取られ、成型ネット９に繊維が残り、処理しないと次の生産に影響し、第三ベルトプーリ４７が固定された押し軸１１が回転してスプロケット４４を連動させて回転させ、チェーン５０の伝動により全部のスプロケット４４を連動させて回転させ、これにより二つの従動軸５２と一つの洗浄軸２０とを連動させて回転させ、水が貯水チャンバ２８の中に溜まり、排水口２９により成型ネット９に水が滴り、これにより成型ネット９にある乾燥した繊維が再び湿り、繊維を取り除くことに便利を与え、洗浄軸２０の回転により洗浄輪２１を連動させて回転させ、これにより成型ネット９の下端面を洗浄し、
【００２７】
３：電磁石４９が作動して上側の従動軸５２と吸引し合い、これにより上側の従動軸５２がひも巻き輪４８を連動させて回転させ、これにより鎖１７を締め、これにより二つの切断ブロック１４が上方へ運動し、また連結ばね１５と復帰ばね１８とが圧縮され、貯水チャンバ２８の中に水が充満した後、電磁石４９が作動しなくなり、これにより連結ばね１５と復帰ばね１８とが復帰し、二つの切断ブロック１４が最初に貯水チャンバ２８の下端壁と接触し、二つの切断ブロック１４と下圧し板１６との間に水を充満させ、それから三つのばねの作用のもとで下圧し板１６を下降させ、これにより二つの切断ブロック１４と下圧し板１６との間の水が加圧された後で排水口２９により速く排出され、成型ネット９を洗い流し、復帰ばね１８と連結ばね１５とが復帰した後、電磁石４９が再び作動し、ひも巻き輪４８を回転させて鎖１７を締め、これにより復帰ばね１８と連結ばね１５とが圧縮され、切断ブロック１４が上昇する。
【００２８】
４：洗い流し用の水と取り除かれた繊維とが収集チャンバ６の中に積り、下側の従動軸５２が回転して第一ベベルギヤ５１を連動させて回転させ、これにより第二ベベルギヤ５３を連動させ、これにより旋転軸５４と第五ベルトプーリ５５とを連動させて回転させ、これにより第一ベルトプーリ４０と回転軸３９とを連動させて回転させ、これにより回転輪４５を連動させて回転させ、これにより台形ロッド６４を連動させて回転させ、これにより回字型ブロック５７を連動させて左右に運動させ、回字型ブロック５７が回転軸３９の右側まで運動した時、台形ロッド６４が右側の弧状ブロック４１を連動させて下降させ、これにより右側のロープ４３が緩み、これにより伸縮ばね３０が復帰し、これにより右側の切断板３２が連通パイプ３１を切断し、左側の弧状ブロック４１が復帰し、左側のロープ４３を引き締め、これにより左側の切断板３２が右方へ運動し、これにより収集チャンバ６の中の混合物が左側の濾過チャンバ３の中に入り、回字型ブロック５７が右方へ運動することによって右側の推し動かしロッド３３を連動させて右方へ運動させ、これにより右側のピストン３４を連動させて右方へ運動させ、これにより右側のスクリーンクロス２の作用のもとで濾過し、これにより水が排水パイプ２７により収納チャンバ２４の中に入って再利用される。
【００２９】
５：回字型ブロック５７が初めて右方へ運動して推し動かしロッド３３を連動させて右方へ運動させ、しかし、台形ロッド６４がまだ左側の弧状ブロック４１の上側に位置している時、左側のピストン３４が左側の摩擦ブロック３７を連動させて右方へ運動させ、これにより排出パイプ３８が左側の濾過チャンバ３を外部空間に連通させ、これによりクズを排出し、ピストン３４が摩擦ブロック３７から分離した時、摩擦ブロック３７が圧縮ばね３５の作用のもとで復帰し、排出パイプ３８を切断する。
【００３０】
６：回転軸３９の回転とともに、濾過機構６７が連続的に作動し、水を循環に利用する。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020200567.tif 000003
【図２】
2020200567.tif 000004
【図３】
2020200567.tif 000005
【図４】
2020200567.tif 000006
【図５】
2020200567.tif 000007
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
正面視で、主に底板及び二つの支持板を含み、前記支持板の間には製紙機構が設置され、前記製紙機構は成型ネットを含み、前記製紙機構の後側には前記製紙機構に動力を伝達する伝動機構が設置され、
前記底板の上端面には前記成型ネットから濾過して洗浄された水を収集できる濾過機構が固定され、前記濾過機構は固定ブロックを含み、前記固定ブロックの中には上方へ開口した収集チャンバが設置され、前記収集チャンバの下端壁の中には回転チャンバが設置され、前記回転チャンバの下端壁には回転軸が回転できるように連結され、前記回転軸には回転輪と第一ベルトプーリとが固定され、前記回転輪の中には前記回転輪を貫通している貫通孔が設置され、前記回転輪の中にはまた前記貫通孔に貫通されたリミットチャンバが設置され、前記貫通孔の中には前記貫通孔を貫通している台形ロッドが設置され、前記リミットチャンバの中には前記台形ロッドに貫通されたリミットブロックが設置され、前記回転輪の上側には前記台形ロッドの上端に貫通された回字型ブロックが設置され、前記回字型ブロックの左右両端にはいずれも推し動かしロッドが固定され、前記回転チャンバの中にはまた二つの弧状ブロックが設置され、前記弧状ブロックの下端には前記弧状ブロックを支持する三つの支持ばねが固定され、前記弧状ブロックの下端にはまたロープが固定され、前記回転チャンバの左右端壁の中にはいずれも濾過チャンバが設置され、前記推し動かしロッドの一端が前記濾過チャンバの中に位置しており、且つ前記推し動かしロッドの一端には前記濾過チャンバの中の液体を推し動かして濾過を補助するピストンが固定され、前記濾過チャンバの上端壁には外部空間に連通した排水パイプと前記収集チャンバに連通した連通パイプとが設置され、前記ロープが前記連通パイプの開閉を制御でき、
前記固定ブロックの上側にはまた絞り出された水と外来水とを収集できる洗浄機構が設置され、前記洗浄機構によって紙が成型する時に絞り出された水と外来水とを収集し、また前記成型ネットを洗浄し、更に前記濾過機構の濾過によって、洗浄用の水を濾過してから再利用し、節水を実現することを特徴とする製紙機の成型ネット洗浄用の旋転噴射節水機構。
【請求項２】
前記製紙機構は前側の前記支持板に回転できるように連結された二つの転び軸を含み、右側の前記転び軸の後側には前記転び軸と動力が伝達できるように連結されたモータが設置され、前記転び軸にはローラが固定され、二つの前記ローラが前記成型ネットにより連結され、右側の前記転び軸の前端には第二ベルトプーリが固定され、後側の前記支持板の前端面には四つの押し軸が回転できるように連結され、前記押し軸には押し円筒が固定され、四つの前記押し円筒が押しキャタピラにより連結され、且つ前記押しキャタピラの下端面が前記成型ネットの上端面と接触し、一つの前記押し軸には第三ベルトプーリが固定され、前記支持板の前端面にはまた洗浄軸が回転できるように連結され、前記洗浄軸の前端には前記成型ネットを洗うことができる洗浄輪が固定されたことを特徴とする請求項１に記載の製紙機の成型ネット洗浄用の旋転噴射節水機構。
【請求項３】
前記伝動機構は前後両端がそれぞれ前後の前記支持板と回転できるように連結された伝動軸を含み、前記伝動軸の前後両端にはいずれも第四ベルトプーリが固定され、前側の前記第四ベルトプーリと前記第二ベルトプーリとが第一ベルトにより連結され、後側の前記第四ベルトプーリと前記第三ベルトプーリとが第二ベルトにより連結され、後側の前記支持板の前端面にはまた二つの従動軸が回転できるように連結され、二つの前記従動軸の後端と前記第三ベルトプーリが固定された前記押し軸の後端と、前記洗浄軸の後端とにはいずれもスプロケットが固定され、四つの前記スプロケットがチェーンにより連結され、上側の前記従動軸の前端にはひも巻き輪がスライドできるように連結され、前記ひも巻き輪の中には前記従動軸と吸引し合うことができる電磁石が設置され、前記ひも巻き輪にはまた鎖が巻きついており、下側の前記従動軸の前端には第一ベベルギヤが固定され、前記底板の上端面にはまた旋転軸が回転できるように連結され、前記旋転軸の上端には前記第一ベベルギヤと噛み合っている第二ベベルギヤが固定され、前記旋転軸にはまた前記第一ベルトプーリと第三ベルトにより連結された第五ベルトプーリが固定されたことを特徴とする請求項１に記載の製紙機の成型ネット洗浄用の旋転噴射節水機構。
【請求項４】
前記濾過機構はまた前記連通パイプに貫通された遮断チャンバを含み、前記遮断チャンバの中には前記連通パイプを遮断することができる遮断板と前記遮断板を復帰させることができる伸縮ばねとが設置され、前記ロープの下端が前記遮断チャンバの片側端壁を貫通しており、且つ前記遮断板と連結され、前記濾過チャンバの中にはスクリーンクロスが固定され、前記濾過チャンバの下端壁の中には外部空間に連通した排出パイプが設置され、前記濾過チャンバの下端壁には前記排出パイプを貫通しており、且つ上方へ開口した摩擦チャンバが設置され、前記摩擦チャンバの中には前記排出パイプを密封できる摩擦ブロックと前記摩擦ブロックを復帰させることができる圧縮ばねとが設置されたことを特徴とする請求項１又は請求項３に記載の製紙機の成型ネット洗浄用の旋転噴射節水機構。
【請求項５】
前記洗浄機構は支持ブロックを含み、前記支持ブロックの中には上方へ開口した収納チャンバが設置され、前記収納チャンバの下端壁の中には前記収納チャンバに連通した貯水チャンバが設置され、前記貯水チャンバの下端壁の中には外部空間に連通した六つの排水口が設置され、前記排水パイプの上端が前記支持ブロックを貫通しており、且つ前記収納チャンバに連通しており、前記貯水チャンバの中には二つの遮断ブロックが設置され、前記遮断ブロックの中には前後端壁と片側端壁とが前記貯水チャンバに連通した二つのばねチャンバが設置され、前記ばねチャンバの下端壁には連結ばねが固定され、前記貯水チャンバの中には前後両端がそれぞれ前記貯水チャンバの前後端壁と当接している下圧し板が設置され、前記下圧し板の左右両端がそれぞれ前記ばねチャンバの中に位置しており、且つ前記連結ばねと連結され、前記鎖の一端が前記貯水チャンバの上端壁を貫通しており、且つ前記下圧し板と連結され、前記下圧し板の上端面の中心には上端が前記貯水チャンバの上端壁と連結された復帰ばねが固定的に連結されたことを特徴とする請求項１又は請求項２に記載の製紙機の成型ネット洗浄用の旋転噴射節水機構。
【請求項６】
前記復帰ばねと二つの前記連結ばねの弾力との和が前記ひも巻き輪と前記従動軸との摩擦力より大きいことを特徴とする請求項３又は請求項５に記載の製紙機の成型ネット洗浄用の旋転噴射節水機構。
【請求項７】
前記鎖が緩む時、二つの前記遮断ブロックが前記貯水チャンバの下端壁と接触し、前記復帰ばねと前記連結ばねとがまだ復帰していないことを特徴とする請求項５に記載の製紙機の成型ネット洗浄用の旋転噴射節水機構。
【請求項８】
前記ピストンと前記摩擦ブロックとの間の摩擦力が前記圧縮ばねの弾力及び前記摩擦チャンバと前記摩擦ブロックとの間の摩擦力の和より大きく、前記圧縮ばねの弾力が前記摩擦チャンバと前記摩擦ブロックとの間の摩擦力の和より大きいことを特徴とする請求項１又は請求項４に記載の製紙機の成型ネット洗浄用の旋転噴射節水機構。
【手続補正２】
【補正対象書類名】明細書
【補正対象項目名】全文
【補正方法】変更
【補正の内容】
【発明の詳細な説明】
【技術分野】
【０００１】
本発明は洗浄分野を取り上げて、具体的には製紙機の成型ネット洗浄用の旋転噴射節水機構である。
【背景技術】
【０００２】
パルプが乾燥して紙を取った後、繊維がよく成型ネットにつき、成型ネットを洗浄しないと、後続の紙の生成に不利であり、紙の平らさに影響を与え、
現段階、成型ネットの洗浄は主に成型ネットを直接洗い流す方式を採用し、水を浪費すると同時に繊維が成型ネットにつき、洗浄の質に影響し、一部の成型ネット洗浄用の設備が回転により成型ネットを洗浄し、しかし、主に回転するところで水を噴き、乾燥の繊維を有効的にふやかして落とすことができなく、回転して洗浄した後に繊維がまだ残っている。
【先行技術文献】
【特許文献】
【０００３】
【特許文献１】中国特許出願公開第１０３６１１６９９号明細書
【発明の概要】
【発明が解決しようとする課題】
【０００４】
本発明は解決しようとする問題は製紙機の成型ネット洗浄用の旋転噴射節水機構を提供するのであり、それは水を浪費することと洗浄の質が低いことという問題を克服し、洗浄の質を上げて用水を節約できる。
【課題を解決するための手段】
【０００５】
本発明は以下の技術プランによって実現される：
【０００６】
製紙機の成型ネット洗浄用の旋転噴射節水機構の構成図を交え、製紙機の成型ネット洗浄用の旋転噴射節水機構は主に底板及び二つの支持板を含み、前記支持板の間には製紙機構が設置され、前記製紙機構は成型ネットを含み、前記製紙機構の後側には前記製紙機構に動力を伝達する伝動機構が設置されている。
【０００７】
前記底板の上端面には前記成型ネットから濾過して洗浄された水を収集できる濾過機構が固定され、前記濾過機構は固定ブロックを含み、前記固定ブロックの中には上方へ開口した収集チャンバが設置され、前記収集チャンバの下端壁の中には回転チャンバが設置され、前記回転チャンバの下端壁には回転軸が回転できるように連結され、前記回転軸には回転輪と第一ベルトプーリとが固定され、前記回転輪の中には前記回転輪を貫通している貫通孔が設置され、前記回転輪の中にはまた前記貫通孔に貫通されたリミットチャンバが設置され、前記貫通孔の中には前記貫通孔を貫通している台形ロッドが設置され、前記リミットチャンバの中には前記台形ロッドに貫通されたリミットブロックが設置され、前記回転輪の上側には前記台形ロッドの上端に貫通された回字型ブロックが設置され、前記回字型ブロックの左右両端にはいずれも推し動かしロッドが固定され、前記回転チャンバの中にはまた二つの弧状ブロックが設置され、前記弧状ブロックの下端には前記弧状ブロックを支持する三つの支持ばねが固定され、前記弧状ブロックの下端にはまたロープが固定され、前記回転チャンバの左右端壁の中にはいずれも濾過チャンバが設置され、前記推し動かしロッドの一端が前記濾過チャンバの中に位置しており、且つ前記推し動かしロッドの一端には前記濾過チャンバの中の液体を推し動かして濾過を補助するピストンが固定され、前記濾過チャンバの上端壁には外部空間に連通した排水パイプと前記収集チャンバに連通した連通パイプとが設置され、前記ロープが前記連通パイプの開閉を制御できる。
【０００８】
前記固定ブロックの上側にはまた絞り出された水と外来水とを収集できる洗浄機構が設置され、前記洗浄機構によって紙が成型する時に絞り出された水と外来水とを収集し、また前記成型ネットを洗浄し、更に前記濾過機構の濾過によって、洗浄用の水を濾過してから再利用し、節水を実現する。
【０００９】
好ましくは、前記製紙機構は前側の前記支持板に回転できるように連結された二つの転び軸を含み、右側の前記転び軸の後側には前記転び軸と動力が伝達できるように連結されたモータが設置され、前記転び軸にはローラが固定され、二つの前記ローラが前記成型ネットにより連結され、右側の前記転び軸の前端には第二ベルトプーリが固定され、後側の前記支持板の前端面には四つの押し軸が回転できるように連結され、前記押し軸には押し円筒が固定され、四つの前記押し円筒が押しキャタピラにより連結され、且つ前記押しキャタピラの下端面が前記成型ネットの上端面と接触し、一つの前記押し軸には第三ベルトプーリが固定され、前記支持板の前端面にはまた洗浄軸が回転できるように連結され、前記洗浄軸の前端には前記成型ネットを洗うことができる洗浄輪が固定された。
【００１０】
好ましくは、前記伝動機構は前後両端がそれぞれ前後の前記支持板と回転できるように連結された伝動軸を含み、前記伝動軸の前後両端にはいずれも第四ベルトプーリが固定され、前側の前記第四ベルトプーリと前記第二ベルトプーリとが第一ベルトにより連結され、後側の前記第四ベルトプーリと前記第三ベルトプーリとが第二ベルトにより連結され、後側の前記支持板の前端面にはまた二つの従動軸が回転できるように連結され、二つの前記従動軸の後端と前記第三ベルトプーリが固定された前記押し軸の後端と、前記洗浄軸の後端とにはいずれもスプロケットが固定され、四つの前記スプロケットがチェーンにより連結され、上側の前記従動軸の前端にはひも巻き輪がスライドできるように連結され、前記ひも巻き輪の中には前記従動軸と吸引し合うことができる電磁石が設置され、前記ひも巻き輪にはまた鎖が巻きついており、下側の前記従動軸の前端には第一ベベルギヤが固定され、前記底板の上端面にはまた旋転軸が回転できるように連結され、前記旋転軸の上端には前記第一ベベルギヤと噛み合っている第二ベベルギヤが固定され、前記旋転軸にはまた前記第一ベルトプーリと第三ベルトにより連結された第五ベルトプーリが固定された。
【００１１】
好ましくは、前記濾過機構はまた前記連通パイプに貫通された遮断チャンバを含み、前記遮断チャンバの中には前記連通パイプを遮断することができる遮断板と前記遮断板を復帰させることができる伸縮ばねとが設置され、前記ロープの下端が前記遮断チャンバの片側端壁を貫通しており、且つ前記遮断板と連結され、前記濾過チャンバの中にはスクリーンクロスが固定され、前記濾過チャンバの下端壁の中には外部空間に連通した排出パイプが設置され、前記濾過チャンバの下端壁には前記排出パイプを貫通しており、且つ上方へ開口した摩擦チャンバが設置され、前記摩擦チャンバの中には前記排出パイプを密封できる摩擦ブロックと前記摩擦ブロックを復帰させることができる圧縮ばねとが設置された。
【００１２】
好ましくは、前記洗浄機構は支持ブロックを含み、前記支持ブロックの中には上方へ開口した収納チャンバが設置され、前記収納チャンバの下端壁の中には前記収納チャンバに連通した貯水チャンバが設置され、前記貯水チャンバの下端壁の中には外部空間に連通した六つの排水口が設置され、前記排水パイプの上端が前記支持ブロックを貫通しており、且つ前記収納チャンバに連通しており、前記貯水チャンバの中には二つの遮断ブロックが設置され、前記遮断ブロックの中には前後端壁と片側端壁とが前記貯水チャンバに連通した二つのばねチャンバが設置され、前記ばねチャンバの下端壁には連結ばねが固定され、前記貯水チャンバの中には前後両端がそれぞれ前記貯水チャンバの前後端壁と当接している下圧し板が設置され、前記下圧し板の左右両端がそれぞれ前記ばねチャンバの中に位置しており、且つ前記連結ばねと連結され、前記鎖の一端が前記貯水チャンバの上端壁を貫通しており、且つ前記下圧し板と連結され、前記下圧し板の上端面の中心には上端が前記貯水チャンバの上端壁と連結された復帰ばねが固定的に連結された。
【００１３】
好ましくは、前記復帰ばねと二つの前記連結ばねの弾力との和が前記ひも巻き輪と前記従動軸との摩擦力より大きい。
【００１４】
好ましくは、前記鎖が緩む時、二つの前記遮断ブロックが前記貯水チャンバの下端壁と接触し、前記復帰ばねと前記連結ばねとがまだ復帰していない。
【００１５】
好ましくは、前記ピストンと前記摩擦ブロックとの間の摩擦力が前記圧縮ばねの弾力及び前記摩擦チャンバと前記摩擦ブロックとの間の摩擦力の和より大きく、前記圧縮ばねの弾力が前記摩擦チャンバと前記摩擦ブロックとの間の摩擦力の和より大きい。
【発明の効果】
【００１６】
本発明の有益効果は：該装置が構成が簡単で、操作が便利で、該装置製紙成型ネットを洗浄する時、元来の動力を利用して成型ネットについている乾燥した頑固繊維を効率的に取り除くことができ、しかも装置が製紙する時に生じた水と洗浄用の水とを循環に利用することによって、成型ネットを洗い流し、用水を節約すると同時に、効率的に有効的に洗浄を完成し、作業の効率と質を向上させる。
【図面の簡単な説明】
【００１７】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の実施例の構成模式図
【図２】図２は本発明の実施例の全体全断面の左側面拡大構成模式図
【図３】図３は本発明の実施例のＡ―Ａの構成模式図
【図４】図４は本発明の実施例の濾過機構の部分断面の正面拡大構成模式図
【図５】図５は本発明の実施例の回字型ブロックの上面拡大模式図
【発明を実施するための形態】
【００１９】
図１〜５に示している製紙機の成型ネット洗浄用の旋転噴射節水機構の構成図を交え、主に底板１及び二つの支持板１３を含み、前記支持板１３の間には製紙機構６８が設置され、前記製紙機構６８は成型ネット９を含み、前記製紙機構６８の後側には前記製紙機構６８に動力を伝達する伝動機構６６が設置され、前記底板１の上端面には前記成型ネット９から濾過して洗浄された水を収集できる濾過機構６７が固定され、前記濾過機構６７は固定ブロック５を含み、前記固定ブロック５の中には上方へ開口した収集チャンバ６が設置され、前記収集チャンバ６の下端壁の中には回転チャンバ４６が設置され、前記回転チャンバ４６の下端壁には回転軸３９が回転できるように連結され、前記回転軸３９には回転輪４５と第一ベルトプーリ４０とが固定され、前記回転輪４５の中には前記回転輪４５を貫通している貫通孔６３が設置され、前記回転輪４５の中にはまた前記貫通孔６３に貫通されたリミットチャンバ６５が設置され、前記貫通孔６３の中には前記貫通孔６３を貫通している台形ロッド６４が設置され、前記リミットチャンバ６５の中には前記台形ロッド６４に貫通されたリミットブロック６２が設置され、前記回転輪６５の上側には前記台形ロッド６４の上端に貫通された回字型ブロック５７が設置され、前記回字型ブロック５７の左右両端にはいずれも推し動かしロッド３３が固定され、前記回転チャンバ４６の中にはまた二つの弧状ブロック４１が設置され、前記弧状ブロック４１の下端には前記弧状ブロック４１を支持する三つの支持ばね４２が固定され、前記弧状ブロック４１の下端にはまたロープ４３が固定され、前記回転チャンバ４６の左右端壁の中にはいずれも濾過チャンバ３が設置され、前記推し動かしロッド３３の一端が前記濾過チャンバ３の中に位置しており、且つ前記推し動かしロッド３３の一端には前記濾過チャンバ３の中の液体を推し動かして濾過を補助するピストン３４が固定され、前記濾過チャンバ３の上端壁には外部空間に連通した排水パイプ２７と前記収集チャンバ６に連通した連通パイプ３１とが設置され、前記ロープ４３が前記連通パイプ３１の開閉を制御でき、前記固定ブロック５の上側にはまた絞り出された水と外来水とを収集できる洗浄機構６９が設置され、前記洗浄機構６９によって紙が成型する時に絞り出された水と外来水とを収集し、また前記成型ネット９を洗浄し、更に前記濾過機構６７の濾過によって、洗浄用の水を濾過してから再利用し、節水を実現する。    
【００２０】
有益的には、前記製紙機構６８は前側の前記支持板１３に回転できるように連結された二つの転び軸７を含み、右側の前記転び軸７の後側には前記転び軸７と動力が伝達できるように連結されたモータ６０が設置され、前記転び軸７にはローラ８が固定され、二つの前記ローラ８が前記成型ネット９により連結され、右側の前記転び軸７の前端には第二ベルトプーリ６１が固定され、後側の前記支持板１３の前端面には四つの押し軸１１が回転できるように連結され、前記押し軸１１には押し円筒１２が固定され、四つの前記押し円筒１２が押しキャタピラ１０により連結され、且つ前記押しキャタピラ１０の下端面が前記成型ネット９の上端面と接触し、一つの前記押し軸１１には第三ベルトプーリ４７が固定され、前記支持板１３の前端面にはまた洗浄軸２０が回転できるように連結され、前記洗浄軸２０の前端には前記成型ネットを洗うことができる洗浄輪２１が固定された。
【００２１】
有益的には、前記伝動機構６６は前後両端がそれぞれ前後の前記支持板１３と回転できるように連結された伝動軸２２を含み、前記伝動軸２２の前後両端にはいずれも第四ベルトプーリ２３が固定され、前側の前記第四ベルトプーリ２３と前記第二ベルトプーリ６１とが第一ベルト５８により連結され、後側の前記第四ベルトプーリ２３と前記第三ベルトプーリ４７とが第二ベルト５９により連結され、後側の前記支持板１３の前端面にはまた二つの従動軸５２が回転できるように連結され、二つの前記従動軸５２の後端と前記第三ベルトプーリ４７が固定された前記押し軸１１の後端と、前記洗浄軸２０の後端とにはいずれもスプロケット４４が固定され、四つの前記スプロケット４４がチェーン５０により連結され、上側の前記従動軸５２の前端にはひも巻き輪４８がスライドできるように連結され、前記ひも巻き輪４８の中には前記従動軸５２と吸引し合うことができる電磁石４９が設置され、前記ひも巻き輪４８にはまた鎖１７が巻きついており、下側の前記従動軸５２の前端には第一ベベルギヤ５１が固定され、前記底板１の上端面にはまた旋転軸５４が回転できるように連結され、前記旋転軸５４の上端には前記第一ベベルギヤ５１と噛み合っている第二ベベルギヤ５３が固定され、前記旋転軸５４にはまた前記第一ベルトプーリ４０と第三ベルト５６により連結された第五ベルトプーリ５５が固定された。
【００２２】
有益的には、前記濾過機構６７はまた前記連通パイプ３１に貫通された遮断チャンバ４を含み、前記遮断チャンバ４の中には前記連通パイプ３１を遮断することができる遮断板３２と前記遮断板３２を復帰させることができる伸縮ばね３０とが設置され、前記ロープ５３の下端が前記遮断チャンバ４の片側端壁を貫通しており、且つ前記遮断板３２と連結され、前記濾過チャンバ３の中にはスクリーンクロス２が固定され、前記濾過チャンバ３の下端壁の中には外部空間に連通した排出パイプ３８が設置され、前記濾過チャンバ３の下端壁には前記排出パイプ３８を貫通しており、且つ上方へ開口した摩擦チャンバ３６が設置され、前記摩擦チャンバ３６の中には前記排出パイプ３８を密封できる摩擦ブロック３７と前記摩擦ブロック３７を復帰させることができる圧縮ばね３５とが設置された。
【００２３】
有益的には、前記洗浄機構６９は支持ブロック２５を含み、前記支持ブロック２５の中には上方へ開口した収納チャンバ２４が設置され、前記収納チャンバ２４の下端壁の中には前記収納チャンバ２４に連通した貯水チャンバ２８が設置され、前記貯水チャンバ２８の下端壁の中には外部空間に連通した六つの排水口２９が設置され、前記排水パイプ２７の上端が前記支持ブロック２５を貫通しており、且つ前記収納チャンバ２４に連通しており、前記貯水チャンバ２８の中には二つの遮断ブロック１４が設置され、前記遮断ブロック１４の中には前後端壁と片側端壁とが前記貯水チャンバ２８に連通した二つのばねチャンバ１９が設置され、前記ばねチャンバ１９の下端壁には連結ばね１５が固定され、前記貯水チャンバ２８の中には前後両端がそれぞれ前記貯水チャンバ２８の前後端壁と当接している下圧し板１６が設置され、前記下圧し板１６の左右両端がそれぞれ前記ばねチャンバ１９の中に位置しており、且つ前記連結ばね１５と連結され、前記鎖１７の一端が前記貯水チャンバ２８の上端壁を貫通しており、且つ前記下圧し板１６と連結され、前記下圧し板１６の上端面の中心には上端が前記貯水チャンバ２８の上端壁と連結された復帰ばね１８が固定的に連結された。
【００２４】
装置全体の機械作動の順序は：
【００２５】
１：パルプを成型ネット９の上端面に均一的に敷き、モータ６０が作動し、転び軸７を連動させて回転させ、これによりローラ８を連動させて回転させ、これにより成型ネット９が回転し、転び軸７が回転して第二ベルトプーリ６１を連動させて回転させ、これにより前側の第四ベルトプーリ２３を連動させて回転させ、これにより伝動軸２２を連動させて回転させ、これにより後側の第四ベルトプーリ２３を連動させて回転させ、これにより第三ベルトプーリ４７と第三ベルトプーリ４７が固定された押し軸１１とを連動させて回転させ、これにより押し円筒１２を連動させて回転させ、押しキャタピラ１０の伝動によって、ほかの押し円筒１２と押し軸１１とを連動させて回転させ、これにより成型ネット９にあるパルプを絞り、これによりパルプの中の大部分の水が絞り出され、絞り出された水が収納チャンバ２４の中に落ち、そして収納チャンバ２４の中に洗浄用の水を入れ、貯水チャンバ２８の中に溜まる。
【００２６】
２：ローラ８が回転する時に成型ネット９がローラ８の下側に位置した時、成型ネット９にあるパルプが取られ、成型ネット９に繊維が残り、処理しないと次の生産に影響し、第三ベルトプーリ４７が固定された押し軸１１が回転してスプロケット４４を連動させて回転させ、チェーン５０の伝動により全部のスプロケット４４を連動させて回転させ、これにより二つの従動軸５２と一つの洗浄軸２０とを連動させて回転させ、水が貯水チャンバ２８の中に溜まり、排水口２９により成型ネット９に水が滴り、これにより成型ネット９にある乾燥した繊維が再び湿り、繊維を取り除くことに便利を与え、洗浄軸２０の回転により洗浄輪２１を連動させて回転させ、これにより成型ネット９の下端面を洗浄し、
【００２７】
３：電磁石４９が作動して上側の従動軸５２と吸引し合い、これにより上側の従動軸５２がひも巻き輪４８を連動させて回転させ、これにより鎖１７を締め、これにより二つの遮断ブロック１４が上方へ運動し、また連結ばね１５と復帰ばね１８とが圧縮され、貯水チャンバ２８の中に水が充満した後、電磁石４９が作動しなくなり、これにより連結ばね１５と復帰ばね１８とが復帰し、二つの遮断ブロック１４が最初に貯水チャンバ２８の下端壁と接触し、二つの遮断ブロック１４と下圧し板１６との間に水を充満させ、それから三つのばねの作用のもとで下圧し板１６を下降させ、これにより二つの遮断ブロック１４と下圧し板１６との間の水が加圧された後で排水口２９により速く排出され、成型ネット９を洗い流し、復帰ばね１８と連結ばね１５とが復帰した後、電磁石４９が再び作動し、ひも巻き輪４８を回転させて鎖１７を締め、これにより復帰ばね１８と連結ばね１５とが圧縮され、遮断ブロック１４が上昇する。
【００２８】
４：洗い流し用の水と取り除かれた繊維とが収集チャンバ６の中に積り、下側の従動軸５２が回転して第一ベベルギヤ５１を連動させて回転させ、これにより第二ベベルギヤ５３を連動させ、これにより旋転軸５４と第五ベルトプーリ５５とを連動させて回転させ、これにより第一ベルトプーリ４０と回転軸３９とを連動させて回転させ、これにより回転輪４５を連動させて回転させ、これにより台形ロッド６４を連動させて回転させ、これにより回字型ブロック５７を連動させて左右に運動させ、回字型ブロック５７が回転軸３９の右側まで運動した時、台形ロッド６４が右側の弧状ブロック４１を連動させて下降させ、これにより右側のロープ４３が緩み、これにより伸縮ばね３０が復帰し、これにより右側の遮断板３２が連通パイプ３１を遮断し、左側の弧状ブロック４１が復帰し、左側のロープ４３を引き締め、これにより左側の遮断板３２が右方へ運動し、これにより収集チャンバ６の中の混合物が左側の濾過チャンバ３の中に入り、回字型ブロック５７が右方へ運動することによって右側の推し動かしロッド３３を連動させて右方へ運動させ、これにより右側のピストン３４を連動させて右方へ運動させ、これにより右側のスクリーンクロス２の作用のもとで濾過し、これにより水が排水パイプ２７により収納チャンバ２４の中に入って再利用される。
【００２９】
５：回字型ブロック５７が初めて右方へ運動して推し動かしロッド３３を連動させて右方へ運動させ、しかし、台形ロッド６４がまだ左側の弧状ブロック４１の上側に位置している時、左側のピストン３４が左側の摩擦ブロック３７を連動させて右方へ運動させ、これにより排出パイプ３８が左側の濾過チャンバ３を外部空間に連通させ、これによりクズを排出し、ピストン３４が摩擦ブロック３７から分離した時、摩擦ブロック３７が圧縮ばね３５の作用のもとで復帰し、排出パイプ３８を遮断する。
【００３０】
６：回転軸３９の回転とともに、濾過機構６７が連続的に作動し、水を循環に利用する。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
正面視で、主に底板及び二つの支持板を含み、前記支持板の間には製紙機構が設置され、前記製紙機構は成型ネットを含み、前記製紙機構の後側には前記製紙機構に動力を伝達する伝動機構が設置され、
前記底板の上端面には前記成型ネットから濾過して洗浄された水を収集できる濾過機構が固定され、前記濾過機構は固定ブロックを含み、前記固定ブロックの中には上方へ開口した収集チャンバが設置され、前記収集チャンバの下端壁の中には回転チャンバが設置され、前記回転チャンバの下端壁には回転軸が回転できるように連結され、前記回転軸には回転輪と第一ベルトプーリとが固定され、前記回転輪の中には前記回転輪を貫通している貫通孔が設置され、前記回転輪の中にはまた前記貫通孔に貫通されたリミットチャンバが設置され、前記貫通孔の中には前記貫通孔を貫通している台形ロッドが設置され、前記リミットチャンバの中には前記台形ロッドに貫通されたリミットブロックが設置され、前記回転輪の上側には前記台形ロッドの上端に貫通された回字型ブロックが設置され、前記回字型ブロックの左右両端にはいずれも推し動かしロッドが固定され、前記回転チャンバの中にはまた二つの弧状ブロックが設置され、前記弧状ブロックの下端には前記弧状ブロックを支持する三つの支持ばねが固定され、前記弧状ブロックの下端にはまたロープが固定され、前記回転チャンバの左右端壁の中にはいずれも濾過チャンバが設置され、前記推し動かしロッドの一端が前記濾過チャンバの中に位置しており、且つ前記推し動かしロッドの一端には前記濾過チャンバの中の液体を推し動かして濾過を補助するピストンが固定され、前記濾過チャンバの上端壁には外部空間に連通した排水パイプと前記収集チャンバに連通した連通パイプとが設置され、前記ロープが前記連通パイプの開閉を制御でき、
前記固定ブロックの上側にはまた絞り出された水と外来水とを収集できる洗浄機構が設置され、前記洗浄機構によって紙が成型する時に絞り出された水と外来水とを収集し、また前記成型ネットを洗浄し、更に前記濾過機構の濾過によって、洗浄用の水を濾過してから再利用し、節水を実現することを特徴とする製紙機の成型ネット洗浄用の旋転噴射節水機構。
【請求項２】
前記製紙機構は前側の前記支持板に回転できるように連結された二つの転び軸を含み、右側の前記転び軸の後側には前記転び軸と動力が伝達できるように連結されたモータが設置され、前記転び軸にはローラが固定され、二つの前記ローラが前記成型ネットにより連結され、右側の前記転び軸の前端には第二ベルトプーリが固定され、後側の前記支持板の前端面には四つの押し軸が回転できるように連結され、前記押し軸には押し円筒が固定され、四つの前記押し円筒が押しキャタピラにより連結され、且つ前記押しキャタピラの下端面が前記成型ネットの上端面と接触し、一つの前記押し軸には第三ベルトプーリが固定され、前記支持板の前端面にはまた洗浄軸が回転できるように連結され、前記洗浄軸の前端には前記成型ネットを洗うことができる洗浄輪が固定されたことを特徴とする請求項１に記載の製紙機の成型ネット洗浄用の旋転噴射節水機構。
【請求項３】
前記伝動機構は前後両端がそれぞれ前後の前記支持板と回転できるように連結された伝動軸を含み、前記伝動軸の前後両端にはいずれも第四ベルトプーリが固定され、前側の前記第四ベルトプーリと前記第二ベルトプーリとが第一ベルトにより連結され、後側の前記第四ベルトプーリと前記第三ベルトプーリとが第二ベルトにより連結され、後側の前記支持板の前端面にはまた二つの従動軸が回転できるように連結され、二つの前記従動軸の後端と前記第三ベルトプーリが固定された前記押し軸の後端と、前記洗浄軸の後端とにはいずれもスプロケットが固定され、四つの前記スプロケットがチェーンにより連結され、上側の前記従動軸の前端にはひも巻き輪がスライドできるように連結され、前記ひも巻き輪の中には前記従動軸と吸引し合うことができる電磁石が設置され、前記ひも巻き輪にはまた鎖が巻きついており、下側の前記従動軸の前端には第一ベベルギヤが固定され、前記底板の上端面にはまた旋転軸が回転できるように連結され、前記旋転軸の上端には前記第一ベベルギヤと噛み合っている第二ベベルギヤが固定され、前記旋転軸にはまた前記第一ベルトプーリと第三ベルトにより連結された第五ベルトプーリが固定されたことを特徴とする請求項１に記載の製紙機の成型ネット洗浄用の旋転噴射節水機構。
【請求項４】
前記濾過機構はまた前記連通パイプに貫通された遮断チャンバを含み、前記遮断チャンバの中には前記連通パイプを遮断することができる遮断板と前記遮断板を復帰させることができる伸縮ばねとが設置され、前記ロープの下端が前記遮断チャンバの片側端壁を貫通しており、且つ前記遮断板と連結され、前記濾過チャンバの中にはスクリーンクロスが固定され、前記濾過チャンバの下端壁の中には外部空間に連通した排出パイプが設置され、前記濾過チャンバの下端壁には前記排出パイプを貫通しており、且つ上方へ開口した摩擦チャンバが設置され、前記摩擦チャンバの中には前記排出パイプを密封できる摩擦ブロックと前記摩擦ブロックを復帰させることができる圧縮ばねとが設置されたことを特徴とする請求項１又は請求項３に記載の製紙機の成型ネット洗浄用の旋転噴射節水機構。
【請求項５】
前記洗浄機構は支持ブロックを含み、前記支持ブロックの中には上方へ開口した収納チャンバが設置され、前記収納チャンバの下端壁の中には前記収納チャンバに連通した貯水チャンバが設置され、前記貯水チャンバの下端壁の中には外部空間に連通した六つの排水口が設置され、前記排水パイプの上端が前記支持ブロックを貫通しており、且つ前記収納チャンバに連通しており、前記貯水チャンバの中には二つの遮断ブロックが設置され、前記遮断ブロックの中には前後端壁と片側端壁とが前記貯水チャンバに連通した二つのばねチャンバが設置され、前記ばねチャンバの下端壁には連結ばねが固定され、前記貯水チャンバの中には前後両端がそれぞれ前記貯水チャンバの前後端壁と当接している下圧し板が設置され、前記下圧し板の左右両端がそれぞれ前記ばねチャンバの中に位置しており、且つ前記連結ばねと連結され、前記鎖の一端が前記貯水チャンバの上端壁を貫通しており、且つ前記下圧し板と連結され、前記下圧し板の上端面の中心には上端が前記貯水チャンバの上端壁と連結された復帰ばねが固定的に連結されたことを特徴とする請求項１又は請求項２に記載の製紙機の成型ネット洗浄用の旋転噴射節水機構。
【請求項６】
前記復帰ばねと二つの前記連結ばねの弾力との和が前記ひも巻き輪と前記従動軸との摩擦力よりはるかに大きいことを特徴とする請求項３又は請求項５に記載の製紙機の成型ネット洗浄用の旋転噴射節水機構。
【請求項７】
前記鎖が緩む時、二つの前記遮断ブロックが前記貯水チャンバの下端壁と接触し、前記復帰ばねと前記連結ばねとがまだ復帰していないことを特徴とする請求項５に記載の製紙機の成型ネット洗浄用の旋転噴射節水機構。
【請求項８】
前記ピストンと前記摩擦ブロックとの間の摩擦力が前記圧縮ばねの弾力及び前記摩擦チャンバと前記摩擦ブロックとの間の摩擦力の和よりはるかに大きく、前記圧縮ばねの弾力が前記摩擦チャンバと前記摩擦ブロックとの間の摩擦力の和よりはるかに大きいことを特徴とする請求項１又は請求項４に記載の製紙機の成型ネット洗浄用の旋転噴射節水機構。
【手続補正２】
【補正対象書類名】明細書
【補正対象項目名】全文
【補正方法】変更
【補正の内容】
【発明の詳細な説明】
【技術分野】
【０００１】
本発明は洗浄分野を取り上げて、具体的には製紙機の成型ネット洗浄用の旋転噴射節水機構である。
【背景技術】
【０００２】
パルプが乾燥して紙を取った後、繊維がよく成型ネットにつき、成型ネットを洗浄しないと、後続の紙の生成に不利であり、紙の平らさに影響を与え、
現段階、成型ネットの洗浄は主に成型ネットを直接洗い流す方式を採用し、水を浪費すると同時に繊維が成型ネットにつき、洗浄の質に影響し、一部の成型ネット洗浄用の設備が回転により成型ネットを洗浄し、しかし、主に回転するところで水を噴き、乾燥の繊維を有効的にふやかして落とすことができなく、回転して洗浄した後に繊維がまだ残っている。
【先行技術文献】
【特許文献】
【０００３】
【特許文献１】中国特許出願公開第１０３６１１６９９号明細書
【発明の概要】
【発明が解決しようとする課題】
【０００４】
本発明は解決しようとする問題は製紙機の成型ネット洗浄用の旋転噴射節水機構を提供するのであり、それは水を浪費することと洗浄の質が低いことという問題を克服し、洗浄の質を上げて用水を節約できる。
【課題を解決するための手段】
【０００５】
本発明は以下の技術プランによって実現される：
【０００６】
製紙機の成型ネット洗浄用の旋転噴射節水機構の構成図を交え、製紙機の成型ネット洗浄用の旋転噴射節水機構は主に底板及び二つの支持板を含み、前記支持板の間には製紙機構が設置され、前記製紙機構は成型ネットを含み、前記製紙機構の後側には前記製紙機構に動力を伝達する伝動機構が設置されている。
【０００７】
前記底板の上端面には前記成型ネットから濾過して洗浄された水を収集できる濾過機構が固定され、前記濾過機構は固定ブロックを含み、前記固定ブロックの中には上方へ開口した収集チャンバが設置され、前記収集チャンバの下端壁の中には回転チャンバが設置され、前記回転チャンバの下端壁には回転軸が回転できるように連結され、前記回転軸には回転輪と第一ベルトプーリとが固定され、前記回転輪の中には前記回転輪を貫通している貫通孔が設置され、前記回転輪の中にはまた前記貫通孔に貫通されたリミットチャンバが設置され、前記貫通孔の中には前記貫通孔を貫通している台形ロッドが設置され、前記リミットチャンバの中には前記台形ロッドに貫通されたリミットブロックが設置され、前記回転輪の上側には前記台形ロッドの上端に貫通された回字型ブロックが設置され、前記回字型ブロックの左右両端にはいずれも推し動かしロッドが固定され、前記回転チャンバの中にはまた二つの弧状ブロックが設置され、前記弧状ブロックの下端には前記弧状ブロックを支持する三つの支持ばねが固定され、前記弧状ブロックの下端にはまたロープが固定され、前記回転チャンバの左右端壁の中にはいずれも濾過チャンバが設置され、前記推し動かしロッドの一端が前記濾過チャンバの中に位置しており、且つ前記推し動かしロッドの一端には前記濾過チャンバの中の液体を推し動かして濾過を補助するピストンが固定され、前記濾過チャンバの上端壁には外部空間に連通した排水パイプと前記収集チャンバに連通した連通パイプとが設置され、前記ロープが前記連通パイプの開閉を制御できる。
【０００８】
前記固定ブロックの上側にはまた絞り出された水と外来水とを収集できる洗浄機構が設置され、前記洗浄機構によって紙が成型する時に絞り出された水と外来水とを収集し、また前記成型ネットを洗浄し、更に前記濾過機構の濾過によって、洗浄用の水を濾過してから再利用し、節水を実現する。
【０００９】
好ましくは、前記製紙機構は前側の前記支持板に回転できるように連結された二つの転び軸を含み、右側の前記転び軸の後側には前記転び軸と動力が伝達できるように連結されたモータが設置され、前記転び軸にはローラが固定され、二つの前記ローラが前記成型ネットにより連結され、右側の前記転び軸の前端には第二ベルトプーリが固定され、後側の前記支持板の前端面には四つの押し軸が回転できるように連結され、前記押し軸には押し円筒が固定され、四つの前記押し円筒が押しキャタピラにより連結され、且つ前記押しキャタピラの下端面が前記成型ネットの上端面と接触し、一つの前記押し軸には第三ベルトプーリが固定され、前記支持板の前端面にはまた洗浄軸が回転できるように連結され、前記洗浄軸の前端には前記成型ネットを洗うことができる洗浄輪が固定された。
【００１０】
好ましくは、前記伝動機構は前後両端がそれぞれ前後の前記支持板と回転できるように連結された伝動軸を含み、前記伝動軸の前後両端にはいずれも第四ベルトプーリが固定され、前側の前記第四ベルトプーリと前記第二ベルトプーリとが第一ベルトにより連結され、後側の前記第四ベルトプーリと前記第三ベルトプーリとが第二ベルトにより連結され、後側の前記支持板の前端面にはまた二つの従動軸が回転できるように連結され、二つの前記従動軸の後端と前記第三ベルトプーリが固定された前記押し軸の後端と、前記洗浄軸の後端とにはいずれもスプロケットが固定され、四つの前記スプロケットがチェーンにより連結され、上側の前記従動軸の前端にはひも巻き輪がスライドできるように連結され、前記ひも巻き輪の中には前記従動軸と吸引し合うことができる電磁石が設置され、前記ひも巻き輪にはまた鎖が巻きついており、下側の前記従動軸の前端には第一ベベルギヤが固定され、前記底板の上端面にはまた旋転軸が回転できるように連結され、前記旋転軸の上端には前記第一ベベルギヤと噛み合っている第二ベベルギヤが固定され、前記旋転軸にはまた前記第一ベルトプーリと第三ベルトにより連結された第五ベルトプーリが固定された。
【００１１】
好ましくは、前記濾過機構はまた前記連通パイプに貫通された遮断チャンバを含み、前記遮断チャンバの中には前記連通パイプを遮断することができる遮断板と前記遮断板を復帰させることができる伸縮ばねとが設置され、前記ロープの下端が前記遮断チャンバの片側端壁を貫通しており、且つ前記遮断板と連結され、前記濾過チャンバの中にはスクリーンクロスが固定され、前記濾過チャンバの下端壁の中には外部空間に連通した排出パイプが設置され、前記濾過チャンバの下端壁には前記排出パイプを貫通しており、且つ上方へ開口した摩擦チャンバが設置され、前記摩擦チャンバの中には前記排出パイプを密封できる摩擦ブロックと前記摩擦ブロックを復帰させることができる圧縮ばねとが設置された。
【００１２】
好ましくは、前記洗浄機構は支持ブロックを含み、前記支持ブロックの中には上方へ開口した収納チャンバが設置され、前記収納チャンバの下端壁の中には前記収納チャンバに連通した貯水チャンバが設置され、前記貯水チャンバの下端壁の中には外部空間に連通した六つの排水口が設置され、前記排水パイプの上端が前記支持ブロックを貫通しており、且つ前記収納チャンバに連通しており、前記貯水チャンバの中には二つの遮断ブロックが設置され、前記遮断ブロックの中には前後端壁と片側端壁とが前記貯水チャンバに連通した二つのばねチャンバが設置され、前記ばねチャンバの下端壁には連結ばねが固定され、前記貯水チャンバの中には前後両端がそれぞれ前記貯水チャンバの前後端壁と当接している下圧し板が設置され、前記下圧し板の左右両端がそれぞれ前記ばねチャンバの中に位置しており、且つ前記連結ばねと連結され、前記鎖の一端が前記貯水チャンバの上端壁を貫通しており、且つ前記下圧し板と連結され、前記下圧し板の上端面の中心には上端が前記貯水チャンバの上端壁と連結された復帰ばねが固定的に連結された。
【００１３】
好ましくは、前記復帰ばねと二つの前記連結ばねの弾力との和が前記ひも巻き輪と前記従動軸との摩擦力よりはるかに大きい。
【００１４】
好ましくは、前記鎖が緩む時、二つの前記遮断ブロックが前記貯水チャンバの下端壁と接触し、前記復帰ばねと前記連結ばねとがまだ復帰していない。
【００１５】
好ましくは、前記ピストンと前記摩擦ブロックとの間の摩擦力が前記圧縮ばねの弾力及び前記摩擦チャンバと前記摩擦ブロックとの間の摩擦力の和よりはるかに大きく、前記圧縮ばねの弾力が前記摩擦チャンバと前記摩擦ブロックとの間の摩擦力の和よりはるかに大きい。
【発明の効果】
【００１６】
本発明の有益効果は：該装置が構成が簡単で、操作が便利で、該装置製紙成型ネットを洗浄する時、元来の動力を利用して成型ネットについている乾燥した頑固繊維を効率的に取り除くことができ、しかも装置が製紙する時に生じた水と洗浄用の水とを循環に利用することによって、成型ネットを洗い流し、用水を節約すると同時に、効率的に有効的に洗浄を完成し、作業の効率と質を向上させる。
【図面の簡単な説明】
【００１７】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の実施例の構成模式図
【図２】図２は本発明の実施例の全体全断面の左側面拡大構成模式図
【図３】図３は本発明の実施例のＡ―Ａの構成模式図
【図４】図４は本発明の実施例の濾過機構の部分断面の正面拡大構成模式図
【図５】図５は本発明の実施例の回字型ブロックの上面拡大模式図
【発明を実施するための形態】
【００１９】
図１〜５に示している製紙機の成型ネット洗浄用の旋転噴射節水機構の構成図を交え、主に底板１及び二つの支持板１３を含み、前記支持板１３の間には製紙機構６８が設置され、前記製紙機構６８は成型ネット９を含み、前記製紙機構６８の後側には前記製紙機構６８に動力を伝達する伝動機構６６が設置され、前記底板１の上端面には前記成型ネット９から濾過して洗浄された水を収集できる濾過機構６７が固定され、前記濾過機構６７は固定ブロック５を含み、前記固定ブロック５の中には上方へ開口した収集チャンバ６が設置され、前記収集チャンバ６の下端壁の中には回転チャンバ４６が設置され、前記回転チャンバ４６の下端壁には回転軸３９が回転できるように連結され、前記回転軸３９には回転輪４５と第一ベルトプーリ４０とが固定され、前記回転輪４５の中には前記回転輪４５を貫通している貫通孔６３が設置され、前記回転輪４５の中にはまた前記貫通孔６３に貫通されたリミットチャンバ６５が設置され、前記貫通孔６３の中には前記貫通孔６３を貫通している台形ロッド６４が設置され、前記リミットチャンバ６５の中には前記台形ロッド６４に貫通されたリミットブロック６２が設置され、前記回転輪６５の上側には前記台形ロッド６４の上端に貫通された回字型ブロック５７が設置され、前記回字型ブロック５７の左右両端にはいずれも推し動かしロッド３３が固定され、前記回転チャンバ４６の中にはまた二つの弧状ブロック４１が設置され、前記弧状ブロック４１の下端には前記弧状ブロック４１を支持する三つの支持ばね４２が固定され、前記弧状ブロック４１の下端にはまたロープ４３が固定され、前記回転チャンバ４６の左右端壁の中にはいずれも濾過チャンバ３が設置され、前記推し動かしロッド３３の一端が前記濾過チャンバ３の中に位置しており、且つ前記推し動かしロッド３３の一端には前記濾過チャンバ３の中の液体を推し動かして濾過を補助するピストン３４が固定され、前記濾過チャンバ３の上端壁には外部空間に連通した排水パイプ２７と前記収集チャンバ６に連通した連通パイプ３１とが設置され、前記ロープ４３が前記連通パイプ３１の開閉を制御でき、前記固定ブロック５の上側にはまた絞り出された水と外来水とを収集できる洗浄機構６９が設置され、前記洗浄機構６９によって紙が成型する時に絞り出された水と外来水とを収集し、また前記成型ネット９を洗浄し、更に前記濾過機構６７の濾過によって、洗浄用の水を濾過してから再利用し、節水を実現する。    
【００２０】
有益的には、前記製紙機構６８は前側の前記支持板１３に回転できるように連結された二つの転び軸７を含み、右側の前記転び軸７の後側には前記転び軸７と動力が伝達できるように連結されたモータ６０が設置され、前記転び軸７にはローラ８が固定され、二つの前記ローラ８が前記成型ネット９により連結され、右側の前記転び軸７の前端には第二ベルトプーリ６１が固定され、後側の前記支持板１３の前端面には四つの押し軸１１が回転できるように連結され、前記押し軸１１には押し円筒１２が固定され、四つの前記押し円筒１２が押しキャタピラ１０により連結され、且つ前記押しキャタピラ１０の下端面が前記成型ネット９の上端面と接触し、一つの前記押し軸１１には第三ベルトプーリ４７が固定され、前記支持板１３の前端面にはまた洗浄軸２０が回転できるように連結され、前記洗浄軸２０の前端には前記成型ネットを洗うことができる洗浄輪２１が固定された。
【００２１】
有益的には、前記伝動機構６６は前後両端がそれぞれ前後の前記支持板１３と回転できるように連結された伝動軸２２を含み、前記伝動軸２２の前後両端にはいずれも第四ベルトプーリ２３が固定され、前側の前記第四ベルトプーリ２３と前記第二ベルトプーリ６１とが第一ベルト５８により連結され、後側の前記第四ベルトプーリ２３と前記第三ベルトプーリ４７とが第二ベルト５９により連結され、後側の前記支持板１３の前端面にはまた二つの従動軸５２が回転できるように連結され、二つの前記従動軸５２の後端と前記第三ベルトプーリ４７が固定された前記押し軸１１の後端と、前記洗浄軸２０の後端とにはいずれもスプロケット４４が固定され、四つの前記スプロケット４４がチェーン５０により連結され、上側の前記従動軸５２の前端にはひも巻き輪４８がスライドできるように連結され、前記ひも巻き輪４８の中には前記従動軸５２と吸引し合うことができる電磁石４９が設置され、前記ひも巻き輪４８にはまた鎖１７が巻きついており、下側の前記従動軸５２の前端には第一ベベルギヤ５１が固定され、前記底板１の上端面にはまた旋転軸５４が回転できるように連結され、前記旋転軸５４の上端には前記第一ベベルギヤ５１と噛み合っている第二ベベルギヤ５３が固定され、前記旋転軸５４にはまた前記第一ベルトプーリ４０と第三ベルト５６により連結された第五ベルトプーリ５５が固定された。
【００２２】
有益的には、前記濾過機構６７はまた前記連通パイプ３１に貫通された遮断チャンバ４を含み、前記遮断チャンバ４の中には前記連通パイプ３１を遮断することができる遮断板３２と前記遮断板３２を復帰させることができる伸縮ばね３０とが設置され、前記ロープ５３の下端が前記遮断チャンバ４の片側端壁を貫通しており、且つ前記遮断板３２と連結され、前記濾過チャンバ３の中にはスクリーンクロス２が固定され、前記濾過チャンバ３の下端壁の中には外部空間に連通した排出パイプ３８が設置され、前記濾過チャンバ３の下端壁には前記排出パイプ３８を貫通しており、且つ上方へ開口した摩擦チャンバ３６が設置され、前記摩擦チャンバ３６の中には前記排出パイプ３８を密封できる摩擦ブロック３７と前記摩擦ブロック３７を復帰させることができる圧縮ばね３５とが設置された。
【００２３】
有益的には、前記洗浄機構６９は支持ブロック２５を含み、前記支持ブロック２５の中には上方へ開口した収納チャンバ２４が設置され、前記収納チャンバ２４の下端壁の中には前記収納チャンバ２４に連通した貯水チャンバ２８が設置され、前記貯水チャンバ２８の下端壁の中には外部空間に連通した六つの排水口２９が設置され、前記排水パイプ２７の上端が前記支持ブロック２５を貫通しており、且つ前記収納チャンバ２４に連通しており、前記貯水チャンバ２８の中には二つの遮断ブロック１４が設置され、前記遮断ブロック１４の中には前後端壁と片側端壁とが前記貯水チャンバ２８に連通した二つのばねチャンバ１９が設置され、前記ばねチャンバ１９の下端壁には連結ばね１５が固定され、前記貯水チャンバ２８の中には前後両端がそれぞれ前記貯水チャンバ２８の前後端壁と当接している下圧し板１６が設置され、前記下圧し板１６の左右両端がそれぞれ前記ばねチャンバ１９の中に位置しており、且つ前記連結ばね１５と連結され、前記鎖１７の一端が前記貯水チャンバ２８の上端壁を貫通しており、且つ前記下圧し板１６と連結され、前記下圧し板１６の上端面の中心には上端が前記貯水チャンバ２８の上端壁と連結された復帰ばね１８が固定的に連結された。
【００２４】
装置全体の機械作動の順序は：
【００２５】
１：パルプを成型ネット９の上端面に均一的に敷き、モータ６０が作動し、転び軸７を連動させて回転させ、これによりローラ８を連動させて回転させ、これにより成型ネット９が回転し、転び軸７が回転して第二ベルトプーリ６１を連動させて回転させ、これにより前側の第四ベルトプーリ２３を連動させて回転させ、これにより伝動軸２２を連動させて回転させ、これにより後側の第四ベルトプーリ２３を連動させて回転させ、これにより第三ベルトプーリ４７と第三ベルトプーリ４７が固定された押し軸１１とを連動させて回転させ、これにより押し円筒１２を連動させて回転させ、押しキャタピラ１０の伝動によって、ほかの押し円筒１２と押し軸１１とを連動させて回転させ、これにより成型ネット９にあるパルプを絞り、これによりパルプの中の大部分の水が絞り出され、絞り出された水が収納チャンバ２４の中に落ち、そして収納チャンバ２４の中に洗浄用の水を入れ、貯水チャンバ２８の中に溜まる。
【００２６】
２：ローラ８が回転する時に成型ネット９がローラ８の下側に位置した時、成型ネット９にあるパルプが取られ、成型ネット９に繊維が残り、処理しないと次の生産に影響し、第三ベルトプーリ４７が固定された押し軸１１が回転してスプロケット４４を連動させて回転させ、チェーン５０の伝動により全部のスプロケット４４を連動させて回転させ、これにより二つの従動軸５２と一つの洗浄軸２０とを連動させて回転させ、水が貯水チャンバ２８の中に溜まり、排水口２９により成型ネット９に水が滴り、これにより成型ネット９にある乾燥した繊維が再び湿り、繊維を取り除くことに便利を与え、洗浄軸２０の回転により洗浄輪２１を連動させて回転させ、これにより成型ネット９の下端面を洗浄し、
【００２７】
３：電磁石４９が作動して上側の従動軸５２と吸引し合い、これにより上側の従動軸５２がひも巻き輪４８を連動させて回転させ、これにより鎖１７を締め、これにより二つの遮断ブロック１４が上方へ運動し、また連結ばね１５と復帰ばね１８とが圧縮され、貯水チャンバ２８の中に水が充満した後、電磁石４９が作動しなくなり、これにより連結ばね１５と復帰ばね１８とが復帰し、二つの遮断ブロック１４が最初に貯水チャンバ２８の下端壁と接触し、二つの遮断ブロック１４と下圧し板１６との間に水を充満させ、それから三つのばねの作用のもとで下圧し板１６を下降させ、これにより二つの遮断ブロック１４と下圧し板１６との間の水が加圧された後で排水口２９により速く排出され、成型ネット９を洗い流し、復帰ばね１８と連結ばね１５とが復帰した後、電磁石４９が再び作動し、ひも巻き輪４８を回転させて鎖１７を締め、これにより復帰ばね１８と連結ばね１５とが圧縮され、遮断ブロック１４が上昇する。
【００２８】
４：洗い流し用の水と取り除かれた繊維とが収集チャンバ６の中に積り、下側の従動軸５２が回転して第一ベベルギヤ５１を連動させて回転させ、これにより第二ベベルギヤ５３を連動させ、これにより旋転軸５４と第五ベルトプーリ５５とを連動させて回転させ、これにより第一ベルトプーリ４０と回転軸３９とを連動させて回転させ、これにより回転輪４５を連動させて回転させ、これにより台形ロッド６４を連動させて回転させ、これにより回字型ブロック５７を連動させて左右に運動させ、回字型ブロック５７が回転軸３９の右側まで運動した時、台形ロッド６４が右側の弧状ブロック４１を連動させて下降させ、これにより右側のロープ４３が緩み、これにより伸縮ばね３０が復帰し、これにより右側の遮断板３２が連通パイプ３１を遮断し、左側の弧状ブロック４１が復帰し、左側のロープ４３を引き締め、これにより左側の遮断板３２が右方へ運動し、これにより収集チャンバ６の中の混合物が左側の濾過チャンバ３の中に入り、回字型ブロック５７が右方へ運動することによって右側の推し動かしロッド３３を連動させて右方へ運動させ、これにより右側のピストン３４を連動させて右方へ運動させ、これにより右側のスクリーンクロス２の作用のもとで濾過し、これにより水が排水パイプ２７により収納チャンバ２４の中に入って再利用される。
【００２９】
５：回字型ブロック５７が初めて右方へ運動して推し動かしロッド３３を連動させて右方へ運動させ、しかし、台形ロッド６４がまだ左側の弧状ブロック４１の上側に位置している時、左側のピストン３４が左側の摩擦ブロック３７を連動させて右方へ運動させ、これにより排出パイプ３８が左側の濾過チャンバ３を外部空間に連通させ、これによりクズを排出し、ピストン３４が摩擦ブロック３７から分離した時、摩擦ブロック３７が圧縮ばね３５の作用のもとで復帰し、排出パイプ３８を遮断する。
【００３０】
６：回転軸３９の回転とともに、濾過機構６７が連続的に作動し、水を循環に利用する。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
正面視で、主に底板及び二つの支持板を含み、前記支持板の間には製紙機構が設置され、前記製紙機構は成型ネットを含み、前記製紙機構の後側には前記製紙機構に動力を伝達する伝動機構が設置され、
前記底板の上端面には前記成型ネットから濾過して洗浄された水を収集できる濾過機構が固定され、前記濾過機構は固定ブロックを含み、前記固定ブロックの中には上方へ開口した収集チャンバが設置され、前記収集チャンバの下端壁の中には回転チャンバが設置され、前記回転チャンバの下端壁には回転軸が回転できるように連結され、前記回転軸には回転輪と第一ベルトプーリとが固定され、前記回転輪の中には前記回転輪を貫通している貫通孔が設置され、前記回転輪の中にはまた前記貫通孔に貫通されたリミットチャンバが設置され、前記貫通孔の中には前記貫通孔を貫通している台形ロッドが設置され、前記リミットチャンバの中には前記台形ロッドに貫通されたリミットブロックが設置され、前記回転輪の上側には前記台形ロッドの上端に貫通された回字型ブロックが設置され、前記回字型ブロックの左右両端にはいずれも推し動かしロッドが固定され、前記回転チャンバの中にはまた二つの弧状ブロックが設置され、前記弧状ブロックの下端には前記弧状ブロックを支持する三つの支持ばねが固定され、前記弧状ブロックの下端にはまたロープが固定され、前記回転チャンバの左右端壁の中にはいずれも濾過チャンバが設置され、前記推し動かしロッドの一端が前記濾過チャンバの中に位置しており、且つ前記推し動かしロッドの一端には前記濾過チャンバの中の液体を推し動かして濾過を補助するピストンが固定され、前記濾過チャンバの上端壁には外部空間に連通した排水パイプと前記収集チャンバに連通した連通パイプとが設置され、前記ロープが前記連通パイプの開閉を制御でき、
前記固定ブロックの上側にはまた絞り出された水と外来水とを収集できる洗浄機構が設置され、前記洗浄機構によって紙が成型する時に絞り出された水と外来水とを収集し、また前記成型ネットを洗浄し、更に前記濾過機構の濾過によって、洗浄用の水を濾過してから再利用し、節水を実現することを特徴とする製紙機の成型ネット洗浄用の旋転噴射節水機構。
【請求項２】
前記製紙機構は前側の前記支持板に回転できるように連結された二つの転び軸を含み、右側の前記転び軸の後側には前記転び軸と動力が伝達できるように連結されたモータが設置され、前記転び軸にはローラが固定され、二つの前記ローラが前記成型ネットにより連結され、右側の前記転び軸の前端には第二ベルトプーリが固定され、後側の前記支持板の前端面には四つの押し軸が回転できるように連結され、前記押し軸には押し円筒が固定され、四つの前記押し円筒が押しキャタピラにより連結され、且つ前記押しキャタピラの下端面が前記成型ネットの上端面と接触し、一つの前記押し軸には第三ベルトプーリが固定され、前記支持板の前端面にはまた洗浄軸が回転できるように連結され、前記洗浄軸の前端には前記成型ネットを洗うことができる洗浄輪が固定されたことを特徴とする請求項１に記載の製紙機の成型ネット洗浄用の旋転噴射節水機構。
【請求項３】
前記伝動機構は前後両端がそれぞれ前後の前記支持板と回転できるように連結された伝動軸を含み、前記伝動軸の前後両端にはいずれも第四ベルトプーリが固定され、前側の前記第四ベルトプーリと前記第二ベルトプーリとが第一ベルトにより連結され、後側の前記第四ベルトプーリと前記第三ベルトプーリとが第二ベルトにより連結され、後側の前記支持板の前端面にはまた二つの従動軸が回転できるように連結され、二つの前記従動軸の後端と前記第三ベルトプーリが固定された前記押し軸の後端と、前記洗浄軸の後端とにはいずれもスプロケットが固定され、四つの前記スプロケットがチェーンにより連結され、上側の前記従動軸の前端にはひも巻き輪がスライドできるように連結され、前記ひも巻き輪の中には前記従動軸と吸引し合うことができる電磁石が設置され、前記ひも巻き輪にはまた鎖が巻きついており、下側の前記従動軸の前端には第一ベベルギヤが固定され、前記底板の上端面にはまた旋転軸が回転できるように連結され、前記旋転軸の上端には前記第一ベベルギヤと噛み合っている第二ベベルギヤが固定され、前記旋転軸にはまた前記第一ベルトプーリと第三ベルトにより連結された第五ベルトプーリが固定されたことを特徴とする請求項１に記載の製紙機の成型ネット洗浄用の旋転噴射節水機構。
【請求項４】
前記濾過機構はまた前記連通パイプに貫通された切断チャンバを含み、前記切断チャンバの中には前記連通パイプを上下に切断して連通を断つことができる切断板と前記切断板を復帰させて前記連通パイプを連通することができる伸縮ばねとが設置され、前記ロープの下端が前記切断チャンバの片側端壁を貫通しており、且つ前記切断板と連結され、前記濾過チャンバの中にはスクリーンクロスが固定され、前記濾過チャンバの下端壁の中には外部空間に連通した排出パイプが設置され、前記濾過チャンバの下端壁には前記排出パイプを貫通しており、且つ上方へ開口した摩擦チャンバが設置され、前記摩擦チャンバの中には前記排出パイプを密封できる摩擦ブロックと前記摩擦ブロックを復帰させることができる圧縮ばねとが設置されたことを特徴とする請求項１又は請求項３に記載の製紙機の成型ネット洗浄用の旋転噴射節水機構。
【請求項５】
前記洗浄機構は支持ブロックを含み、前記支持ブロックの中には上方へ開口した収納チャンバが設置され、前記収納チャンバの下端壁の中には前記収納チャンバに連通した貯水チャンバが設置され、前記貯水チャンバの下端壁の中には外部空間に連通した六つの排水口が設置され、前記排水パイプの上端が前記支持ブロックを貫通しており、且つ前記収納チャンバに連通しており、前記貯水チャンバの中には二つの切断ブロックが設置され、前記切断ブロックの中には前後端壁と片側端壁とが前記貯水チャンバに連通した二つのばねチャンバが設置され、前記ばねチャンバの下端壁には連結ばねが固定され、前記貯水チャンバの中には前後両端がそれぞれ前記貯水チャンバの前後端壁と当接している下圧し板が設置され、前記下圧し板の左右両端がそれぞれ前記ばねチャンバの中に位置しており、且つ前記連結ばねと連結され、前記鎖の一端が前記貯水チャンバの上端壁を貫通しており、且つ前記下圧し板と連結され、前記下圧し板の上端面の中心には上端が前記貯水チャンバの上端壁と連結された復帰ばねが固定的に連結されたことを特徴とする請求項１又は請求項２に記載の製紙機の成型ネット洗浄用の旋転噴射節水機構。
【請求項６】
前記鎖が緩む時、二つの前記切断ブロックが前記貯水チャンバの下端壁と接触し、前記復帰ばねと前記連結ばねとがまだ復帰していないことを特徴とする請求項５に記載の製紙機の成型ネット洗浄用の旋転噴射節水機構。
【手続補正２】
【補正対象書類名】明細書
【補正対象項目名】全文
【補正方法】変更
【補正の内容】
【発明の詳細な説明】
【技術分野】
【０００１】
本発明は洗浄分野を取り上げて、具体的には製紙機の成型ネット洗浄用の旋転噴射節水機構である。
【背景技術】
【０００２】
パルプが乾燥して紙を取った後、繊維がよく成型ネットにつき、成型ネットを洗浄しないと、後続の紙の生成に不利であり、紙の平らさに影響を与え、
現段階、成型ネットの洗浄は主に成型ネットを直接洗い流す方式を採用し、水を浪費すると同時に繊維が成型ネットにつき、洗浄の質に影響し、一部の成型ネット洗浄用の設備が回転により成型ネットを洗浄し、しかし、主に回転するところで水を噴き、乾燥の繊維を有効的にふやかして落とすことができなく、回転して洗浄した後に繊維がまだ残っている。
【先行技術文献】
【特許文献】
【０００３】
【特許文献１】中国特許出願公開第１０３６１１６９９号明細書
【発明の概要】
【発明が解決しようとする課題】
【０００４】
本発明は解決しようとする問題は製紙機の成型ネット洗浄用の旋転噴射節水機構を提供するのであり、それは水を浪費することと洗浄の質が低いことという問題を克服し、洗浄の質を上げて用水を節約できる。
【課題を解決するための手段】
【０００５】
本発明は以下の技術プランによって実現される：
【０００６】
製紙機の成型ネット洗浄用の旋転噴射節水機構の構成図を交え、製紙機の成型ネット洗浄用の旋転噴射節水機構は主に底板及び二つの支持板を含み、前記支持板の間には製紙機構が設置され、前記製紙機構は成型ネットを含み、前記製紙機構の後側には前記製紙機構に動力を伝達する伝動機構が設置されている。
【０００７】
前記底板の上端面には前記成型ネットから濾過して洗浄された水を収集できる濾過機構が固定され、前記濾過機構は固定ブロックを含み、前記固定ブロックの中には上方へ開口した収集チャンバが設置され、前記収集チャンバの下端壁の中には回転チャンバが設置され、前記回転チャンバの下端壁には回転軸が回転できるように連結され、前記回転軸には回転輪と第一ベルトプーリとが固定され、前記回転輪の中には前記回転輪を貫通している貫通孔が設置され、前記回転輪の中にはまた前記貫通孔に貫通されたリミットチャンバが設置され、前記貫通孔の中には前記貫通孔を貫通している台形ロッドが設置され、前記リミットチャンバの中には前記台形ロッドに貫通されたリミットブロックが設置され、前記回転輪の上側には前記台形ロッドの上端に貫通された回字型ブロックが設置され、前記回字型ブロックの左右両端にはいずれも推し動かしロッドが固定され、前記回転チャンバの中にはまた二つの弧状ブロックが設置され、前記弧状ブロックの下端には前記弧状ブロックを支持する三つの支持ばねが固定され、前記弧状ブロックの下端にはまたロープが固定され、前記回転チャンバの左右端壁の中にはいずれも濾過チャンバが設置され、前記推し動かしロッドの一端が前記濾過チャンバの中に位置しており、且つ前記推し動かしロッドの一端には前記濾過チャンバの中の液体を推し動かして濾過を補助するピストンが固定され、前記濾過チャンバの上端壁には外部空間に連通した排水パイプと前記収集チャンバに連通した連通パイプとが設置され、前記ロープが前記連通パイプの開閉を制御できる。
【０００８】
前記固定ブロックの上側にはまた絞り出された水と外来水とを収集できる洗浄機構が設置され、前記洗浄機構によって紙が成型する時に絞り出された水と外来水とを収集し、また前記成型ネットを洗浄し、更に前記濾過機構の濾過によって、洗浄用の水を濾過してから再利用し、節水を実現する。
【０００９】
好ましくは、前記製紙機構は前側の前記支持板に回転できるように連結された二つの転び軸を含み、右側の前記転び軸の後側には前記転び軸と動力が伝達できるように連結されたモータが設置され、前記転び軸にはローラが固定され、二つの前記ローラが前記成型ネットにより連結され、右側の前記転び軸の前端には第二ベルトプーリが固定され、後側の前記支持板の前端面には四つの押し軸が回転できるように連結され、前記押し軸には押し円筒が固定され、四つの前記押し円筒が押しキャタピラにより連結され、且つ前記押しキャタピラの下端面が前記成型ネットの上端面と接触し、一つの前記押し軸には第三ベルトプーリが固定され、前記支持板の前端面にはまた洗浄軸が回転できるように連結され、前記洗浄軸の前端には前記成型ネットを洗うことができる洗浄輪が固定された。
【００１０】
好ましくは、前記伝動機構は前後両端がそれぞれ前後の前記支持板と回転できるように連結された伝動軸を含み、前記伝動軸の前後両端にはいずれも第四ベルトプーリが固定され、前側の前記第四ベルトプーリと前記第二ベルトプーリとが第一ベルトにより連結され、後側の前記第四ベルトプーリと前記第三ベルトプーリとが第二ベルトにより連結され、後側の前記支持板の前端面にはまた二つの従動軸が回転できるように連結され、二つの前記従動軸の後端と前記第三ベルトプーリが固定された前記押し軸の後端と、前記洗浄軸の後端とにはいずれもスプロケットが固定され、四つの前記スプロケットがチェーンにより連結され、上側の前記従動軸の前端にはひも巻き輪がスライドできるように連結され、前記ひも巻き輪の中には前記従動軸と吸引し合うことができる電磁石が設置され、前記ひも巻き輪にはまた鎖が巻きついており、下側の前記従動軸の前端には第一ベベルギヤが固定され、前記底板の上端面にはまた旋転軸が回転できるように連結され、前記旋転軸の上端には前記第一ベベルギヤと噛み合っている第二ベベルギヤが固定され、前記旋転軸にはまた前記第一ベルトプーリと第三ベルトにより連結された第五ベルトプーリが固定された。
【００１１】
好ましくは、前記濾過機構はまた前記連通パイプに貫通された切断チャンバを含み、前記切断チャンバの中には前記連通パイプを上下に切断して連通を断つことができる切断板と前記切断板を復帰させて前記連通パイプを連通することができる伸縮ばねとが設置され、前記ロープの下端が前記切断チャンバの片側端壁を貫通しており、且つ前記切断板と連結され、前記濾過チャンバの中にはスクリーンクロスが固定され、前記濾過チャンバの下端壁の中には外部空間に連通した排出パイプが設置され、前記濾過チャンバの下端壁には前記排出パイプを貫通しており、且つ上方へ開口した摩擦チャンバが設置され、前記摩擦チャンバの中には前記排出パイプを密封できる摩擦ブロックと前記摩擦ブロックを復帰させることができる圧縮ばねとが設置された。
【００１２】
好ましくは、前記洗浄機構は支持ブロックを含み、前記支持ブロックの中には上方へ開口した収納チャンバが設置され、前記収納チャンバの下端壁の中には前記収納チャンバに連通した貯水チャンバが設置され、前記貯水チャンバの下端壁の中には外部空間に連通した六つの排水口が設置され、前記排水パイプの上端が前記支持ブロックを貫通しており、且つ前記収納チャンバに連通しており、前記貯水チャンバの中には二つの切断ブロックが設置され、前記切断ブロックの中には前後端壁と片側端壁とが前記貯水チャンバに連通した二つのばねチャンバが設置され、前記ばねチャンバの下端壁には連結ばねが固定され、前記貯水チャンバの中には前後両端がそれぞれ前記貯水チャンバの前後端壁と当接している下圧し板が設置され、前記下圧し板の左右両端がそれぞれ前記ばねチャンバの中に位置しており、且つ前記連結ばねと連結され、前記鎖の一端が前記貯水チャンバの上端壁を貫通しており、且つ前記下圧し板と連結され、前記下圧し板の上端面の中心には上端が前記貯水チャンバの上端壁と連結された復帰ばねが固定的に連結された。
【００１３】
好ましくは、前記復帰ばねと二つの前記連結ばねの弾力との和が前記ひも巻き輪と前記従動軸との摩擦力よりはるかに大きい。
【００１４】
好ましくは、前記鎖が緩む時、二つの前記切断ブロックが前記貯水チャンバの下端壁と接触し、前記復帰ばねと前記連結ばねとがまだ復帰していない。
【００１５】
好ましくは、前記ピストンと前記摩擦ブロックとの間の摩擦力が前記圧縮ばねの弾力及び前記摩擦チャンバと前記摩擦ブロックとの間の摩擦力の和よりはるかに大きく、前記圧縮ばねの弾力が前記摩擦チャンバと前記摩擦ブロックとの間の摩擦力の和よりはるかに大きい。
【発明の効果】
【００１６】
本発明の有益効果は：該装置が構成が簡単で、操作が便利で、該装置製紙成型ネットを洗浄する時、元来の動力を利用して成型ネットについている乾燥した頑固繊維を効率的に取り除くことができ、しかも装置が製紙する時に生じた水と洗浄用の水とを循環に利用することによって、成型ネットを洗い流し、用水を節約すると同時に、効率的に有効的に洗浄を完成し、作業の効率と質を向上させる。
【図面の簡単な説明】
【００１７】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の実施例の構成模式図
【図２】図２は本発明の実施例の全体全断面の左側面拡大構成模式図
【図３】図３は本発明の実施例のＡ―Ａの構成模式図
【図４】図４は本発明の実施例の濾過機構の部分断面の正面拡大構成模式図
【図５】図５は本発明の実施例の回字型ブロックの上面拡大模式図
【発明を実施するための形態】
【００１９】
図１〜５に示している製紙機の成型ネット洗浄用の旋転噴射節水機構の構成図を交え、主に底板１及び二つの支持板１３を含み、前記支持板１３の間には製紙機構６８が設置され、前記製紙機構６８は成型ネット９を含み、前記製紙機構６８の後側には前記製紙機構６８に動力を伝達する伝動機構６６が設置され、前記底板１の上端面には前記成型ネット９から濾過して洗浄された水を収集できる濾過機構６７が固定され、前記濾過機構６７は固定ブロック５を含み、前記固定ブロック５の中には上方へ開口した収集チャンバ６が設置され、前記収集チャンバ６の下端壁の中には回転チャンバ４６が設置され、前記回転チャンバ４６の下端壁には回転軸３９が回転できるように連結され、前記回転軸３９には回転輪４５と第一ベルトプーリ４０とが固定され、前記回転輪４５の中には前記回転輪４５を貫通している貫通孔６３が設置され、前記回転輪４５の中にはまた前記貫通孔６３に貫通されたリミットチャンバ６５が設置され、前記貫通孔６３の中には前記貫通孔６３を貫通している台形ロッド６４が設置され、前記リミットチャンバ６５の中には前記台形ロッド６４に貫通されたリミットブロック６２が設置され、前記回転輪６５の上側には前記台形ロッド６４の上端に貫通された回字型ブロック５７が設置され、前記回字型ブロック５７の左右両端にはいずれも推し動かしロッド３３が固定され、前記回転チャンバ４６の中にはまた二つの弧状ブロック４１が設置され、前記弧状ブロック４１の下端には前記弧状ブロック４１を支持する三つの支持ばね４２が固定され、前記弧状ブロック４１の下端にはまたロープ４３が固定され、前記回転チャンバ４６の左右端壁の中にはいずれも濾過チャンバ３が設置され、前記推し動かしロッド３３の一端が前記濾過チャンバ３の中に位置しており、且つ前記推し動かしロッド３３の一端には前記濾過チャンバ３の中の液体を推し動かして濾過を補助するピストン３４が固定され、前記濾過チャンバ３の上端壁には外部空間に連通した排水パイプ２７と前記収集チャンバ６に連通した連通パイプ３１とが設置され、前記ロープ４３が前記連通パイプ３１の開閉を制御でき、前記固定ブロック５の上側にはまた絞り出された水と外来水とを収集できる洗浄機構６９が設置され、前記洗浄機構６９によって紙が成型する時に絞り出された水と外来水とを収集し、また前記成型ネット９を洗浄し、更に前記濾過機構６７の濾過によって、洗浄用の水を濾過してから再利用し、節水を実現する。    
【００２０】
有益的には、前記製紙機構６８は前側の前記支持板１３に回転できるように連結された二つの転び軸７を含み、右側の前記転び軸７の後側には前記転び軸７と動力が伝達できるように連結されたモータ６０が設置され、前記転び軸７にはローラ８が固定され、二つの前記ローラ８が前記成型ネット９により連結され、右側の前記転び軸７の前端には第二ベルトプーリ６１が固定され、後側の前記支持板１３の前端面には四つの押し軸１１が回転できるように連結され、前記押し軸１１には押し円筒１２が固定され、四つの前記押し円筒１２が押しキャタピラ１０により連結され、且つ前記押しキャタピラ１０の下端面が前記成型ネット９の上端面と接触し、一つの前記押し軸１１には第三ベルトプーリ４７が固定され、前記支持板１３の前端面にはまた洗浄軸２０が回転できるように連結され、前記洗浄軸２０の前端には前記成型ネットを洗うことができる洗浄輪２１が固定された。
【００２１】
有益的には、前記伝動機構６６は前後両端がそれぞれ前後の前記支持板１３と回転できるように連結された伝動軸２２を含み、前記伝動軸２２の前後両端にはいずれも第四ベルトプーリ２３が固定され、前側の前記第四ベルトプーリ２３と前記第二ベルトプーリ６１とが第一ベルト５８により連結され、後側の前記第四ベルトプーリ２３と前記第三ベルトプーリ４７とが第二ベルト５９により連結され、後側の前記支持板１３の前端面にはまた二つの従動軸５２が回転できるように連結され、二つの前記従動軸５２の後端と前記第三ベルトプーリ４７が固定された前記押し軸１１の後端と、前記洗浄軸２０の後端とにはいずれもスプロケット４４が固定され、四つの前記スプロケット４４がチェーン５０により連結され、上側の前記従動軸５２の前端にはひも巻き輪４８がスライドできるように連結され、前記ひも巻き輪４８の中には前記従動軸５２と吸引し合うことができる電磁石４９が設置され、前記ひも巻き輪４８にはまた鎖１７が巻きついており、下側の前記従動軸５２の前端には第一ベベルギヤ５１が固定され、前記底板１の上端面にはまた旋転軸５４が回転できるように連結され、前記旋転軸５４の上端には前記第一ベベルギヤ５１と噛み合っている第二ベベルギヤ５３が固定され、前記旋転軸５４にはまた前記第一ベルトプーリ４０と第三ベルト５６により連結された第五ベルトプーリ５５が固定された。
【００２２】
有益的には、前記濾過機構６７はまた前記連通パイプ３１に貫通された切断チャンバ４を含み、前記切断チャンバ４の中には前記連通パイプ３１を上下に切断して連通を断つことができる切断板３２と前記切断板３２を復帰させて前記連通パイプ３１を連通することができる伸縮ばね３０とが設置され、前記ロープ５３の下端が前記切断チャンバ４の片側端壁を貫通しており、且つ前記切断板３２と連結され、前記濾過チャンバ３の中にはスクリーンクロス２が固定され、前記濾過チャンバ３の下端壁の中には外部空間に連通した排出パイプ３８が設置され、前記濾過チャンバ３の下端壁には前記排出パイプ３８を貫通しており、且つ上方へ開口した摩擦チャンバ３６が設置され、前記摩擦チャンバ３６の中には前記排出パイプ３８を密封できる摩擦ブロック３７と前記摩擦ブロック３７を復帰させることができる圧縮ばね３５とが設置された。
【００２３】
有益的には、前記洗浄機構６９は支持ブロック２５を含み、前記支持ブロック２５の中には上方へ開口した収納チャンバ２４が設置され、前記収納チャンバ２４の下端壁の中には前記収納チャンバ２４に連通した貯水チャンバ２８が設置され、前記貯水チャンバ２８の下端壁の中には外部空間に連通した六つの排水口２９が設置され、前記排水パイプ２７の上端が前記支持ブロック２５を貫通しており、且つ前記収納チャンバ２４に連通しており、前記貯水チャンバ２８の中には二つの切断ブロック１４が設置され、前記切断ブロック１４の中には前後端壁と片側端壁とが前記貯水チャンバ２８に連通した二つのばねチャンバ１９が設置され、前記ばねチャンバ１９の下端壁には連結ばね１５が固定され、前記貯水チャンバ２８の中には前後両端がそれぞれ前記貯水チャンバ２８の前後端壁と当接している下圧し板１６が設置され、前記下圧し板１６の左右両端がそれぞれ前記ばねチャンバ１９の中に位置しており、且つ前記連結ばね１５と連結され、前記鎖１７の一端が前記貯水チャンバ２８の上端壁を貫通しており、且つ前記下圧し板１６と連結され、前記下圧し板１６の上端面の中心には上端が前記貯水チャンバ２８の上端壁と連結された復帰ばね１８が固定的に連結された。
【００２４】
装置全体の機械作動の順序は：
【００２５】
１：パルプを成型ネット９の上端面に均一的に敷き、モータ６０が作動し、転び軸７を連動させて回転させ、これによりローラ８を連動させて回転させ、これにより成型ネット９が回転し、転び軸７が回転して第二ベルトプーリ６１を連動させて回転させ、これにより前側の第四ベルトプーリ２３を連動させて回転させ、これにより伝動軸２２を連動させて回転させ、これにより後側の第四ベルトプーリ２３を連動させて回転させ、これにより第三ベルトプーリ４７と第三ベルトプーリ４７が固定された押し軸１１とを連動させて回転させ、これにより押し円筒１２を連動させて回転させ、押しキャタピラ１０の伝動によって、ほかの押し円筒１２と押し軸１１とを連動させて回転させ、これにより成型ネット９にあるパルプを絞り、これによりパルプの中の大部分の水が絞り出され、絞り出された水が収納チャンバ２４の中に落ち、そして収納チャンバ２４の中に洗浄用の水を入れ、貯水チャンバ２８の中に溜まる。
【００２６】
２：ローラ８が回転する時に成型ネット９がローラ８の下側に位置した時、成型ネット９にあるパルプが取られ、成型ネット９に繊維が残り、処理しないと次の生産に影響し、第三ベルトプーリ４７が固定された押し軸１１が回転してスプロケット４４を連動させて回転させ、チェーン５０の伝動により全部のスプロケット４４を連動させて回転させ、これにより二つの従動軸５２と一つの洗浄軸２０とを連動させて回転させ、水が貯水チャンバ２８の中に溜まり、排水口２９により成型ネット９に水が滴り、これにより成型ネット９にある乾燥した繊維が再び湿り、繊維を取り除くことに便利を与え、洗浄軸２０の回転により洗浄輪２１を連動させて回転させ、これにより成型ネット９の下端面を洗浄し、
【００２７】
３：電磁石４９が作動して上側の従動軸５２と吸引し合い、これにより上側の従動軸５２がひも巻き輪４８を連動させて回転させ、これにより鎖１７を締め、これにより二つの切断ブロック１４が上方へ運動し、また連結ばね１５と復帰ばね１８とが圧縮され、貯水チャンバ２８の中に水が充満した後、電磁石４９が作動しなくなり、これにより連結ばね１５と復帰ばね１８とが復帰し、二つの切断ブロック１４が最初に貯水チャンバ２８の下端壁と接触し、二つの切断ブロック１４と下圧し板１６との間に水を充満させ、それから三つのばねの作用のもとで下圧し板１６を下降させ、これにより二つの切断ブロック１４と下圧し板１６との間の水が加圧された後で排水口２９により速く排出され、成型ネット９を洗い流し、復帰ばね１８と連結ばね１５とが復帰した後、電磁石４９が再び作動し、ひも巻き輪４８を回転させて鎖１７を締め、これにより復帰ばね１８と連結ばね１５とが圧縮され、切断ブロック１４が上昇する。
【００２８】
４：洗い流し用の水と取り除かれた繊維とが収集チャンバ６の中に積り、下側の従動軸５２が回転して第一ベベルギヤ５１を連動させて回転させ、これにより第二ベベルギヤ５３を連動させ、これにより旋転軸５４と第五ベルトプーリ５５とを連動させて回転させ、これにより第一ベルトプーリ４０と回転軸３９とを連動させて回転させ、これにより回転輪４５を連動させて回転させ、これにより台形ロッド６４を連動させて回転させ、これにより回字型ブロック５７を連動させて左右に運動させ、回字型ブロック５７が回転軸３９の右側まで運動した時、台形ロッド６４が右側の弧状ブロック４１を連動させて下降させ、これにより右側のロープ４３が緩み、これにより伸縮ばね３０が復帰し、これにより右側の切断板３２が連通パイプ３１を切断し、左側の弧状ブロック４１が復帰し、左側のロープ４３を引き締め、これにより左側の切断板３２が右方へ運動し、これにより収集チャンバ６の中の混合物が左側の濾過チャンバ３の中に入り、回字型ブロック５７が右方へ運動することによって右側の推し動かしロッド３３を連動させて右方へ運動させ、これにより右側のピストン３４を連動させて右方へ運動させ、これにより右側のスクリーンクロス２の作用のもとで濾過し、これにより水が排水パイプ２７により収納チャンバ２４の中に入って再利用される。
【００２９】
５：回字型ブロック５７が初めて右方へ運動して推し動かしロッド３３を連動させて右方へ運動させ、しかし、台形ロッド６４がまだ左側の弧状ブロック４１の上側に位置している時、左側のピストン３４が左側の摩擦ブロック３７を連動させて右方へ運動させ、これにより排出パイプ３８が左側の濾過チャンバ３を外部空間に連通させ、これによりクズを排出し、ピストン３４が摩擦ブロック３７から分離した時、摩擦ブロック３７が圧縮ばね３５の作用のもとで復帰し、排出パイプ３８を切断する。
【００３０】
６：回転軸３９の回転とともに、濾過機構６７が連続的に作動し、水を循環に利用する。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。